(57)【要約】【課題】透明遊技盤とその背後に設けた表示手段とにより、大当たり遊技状態におけるラウンド遊技のラウンド標識を可変入賞手段自体に近接した位置に表示可能とし、現在のラウンド数を分かりやすく報知可能とした遊技機を提供すること。【解決手段】透明遊技盤を通して視認されるように当該透明遊技盤の背面側に配設され、透明遊技盤に演出表示可能領域を形成すると共に、この演出表示可能領域内において複数の識別情報を変動表示及び停止表示する表示手段と、前記複数の識別情報が予め定められた特定組合せで停止表示された場合、前記透明遊技盤上の可変入賞手段を開放及び閉鎖するラウンド遊技を所定回数継続可能な大当たり遊技状態に移行させる大当たり遊技実行手段と、実行中のラウンド遊技が何回目であるかを示すラウンド標識を、前記演出表示可能領域内の可変入賞手段に近接する位置に演出表示させる演出表示制御手段とを備える遊技機とした。【選択図】図６
2005245540.tif 000002
【特許請求の範囲】
【請求項１】
発射された遊技球を上部側から下部側へ流下案内可能とし、一部又は全部が透明部材により形成されて背後が透視可能な透明遊技盤と、
この透明遊技盤を通して視認されるように当該透明遊技盤の背面側に配設され、透明遊技盤に演出表示可能領域を形成すると共に、この演出表示可能領域内において複数の識別情報を変動表示及び停止表示し、かつ遊技に応じた演出表示を行う表示手段と、
前記複数の識別情報が予め定められた特定組合せで停止表示された場合、前記透明遊技盤上の可変入賞手段を開放及び閉鎖するラウンド遊技を所定回数継続可能な大当たり遊技状態に移行させる大当たり遊技実行手段と、
実行中のラウンド遊技が何回目であるかを示すラウンド標識を、前記演出表示可能領域内の可変入賞手段に近接する位置に演出表示させる演出表示制御手段と
を備えることを特徴とする遊技機。
【請求項２】
前記ラウンド標識は、前記可変入賞手段に重なった位置から近傍位置へ移動表示されることを特徴とする請求項１記載の遊技機。
【請求項３】
前記演出表示制御手段は、前記可変入賞手段の開放又は閉鎖を契機に前記ラウンド標識を演出表示させることを特徴とする請求項１又は２に記載の遊技機。
【請求項４】
前記可変入賞手段は、予め定められた所定個数の遊技球が入賞するまで若しくは所定時間経過するまで開放状態を維持し、前記所定個数の入賞を検知するか若しくは所定時間経過すると閉鎖すべく構成すると共に、
この可変入賞手段に対して、前記所定個数を超えて入賞がなされたことを検知する余剰入賞検知手段を設け、
前記演出表示制御手段は、前記余剰入賞検知手段により余剰入賞が検知されたラウンド遊技の回数を累計的に表示するようにしたことを特徴とする請求項１〜３のいずれか１項に記載の遊技機。
【請求項５】
大当たり遊技状態における遊技球の入賞を検知する入賞検知手段を設け、
前記演出表示制御手段は、前記入賞検知手段が検知した入賞数を累計的に表示するようにしたことを特徴とする請求項１〜４のいずれか１項に記載の遊技機。
【請求項６】
前記演出表示制御手段は、実行中のラウンド遊技を含む大当たり遊技状態において継続可能な複数のラウンド遊技のラウンド標識を表示し、そのうち、実行中のラウンド遊技のラウンド標識を強調表示することを特徴とする請求項１〜５のいずれか１項に記載の遊技機。
【発明の詳細な説明】
【技術分野】
【０００１】
この発明は遊技機に関し、特に複数の識別情報を変動表示及び停止表示し、かつ遊技に応じた演出表示を行う表示手段を備えた弾球遊技機に関するものである。
【背景技術】
【０００２】
従来、遊技機の一つとして弾球遊技機があり、この弾球遊技機を代表するものとしてパチンコ遊技機が知られている。
【０００３】
パチンコ遊技機は、遊技球を遊技盤上に発射して所定の入賞口に入球させ、入賞に応じて払い出される入賞球をより多く獲得することを目的として遊技するものであるが、前記遊技盤上には、遊技球の流下方向を変化させる障害釘や風車、さらには前記入賞口などに設けられた電動開閉部材などの遊技部材が適宜設けられている。
【０００４】
近年では、前記遊技盤の略中央に液晶表示装置を配置し、この液晶表示装置上で、やはり遊技機の１つであるスロットマシンのように、図柄などからなる複数の識別情報を変動表示すると共に、特定の組合せ（以下、「特定組合せ」という）で停止表示されると遊技者に有利な遊技状態に移行させる遊技形態、所謂「可変表示ゲーム」を実行するようにしたものが一般的な遊技機形態となっている。
【０００５】
前記「可変表示ゲーム」は、遊技者が前記遊技盤上に発射した遊技球が始動口と呼ばれる前記入賞口の一つへ入賞すると、その入賞に基づき当選かはずれかを内部抽選し、抽選結果に応じて前記表示装置の表示領域内で前記複数の識別情報を変動表示及び停止表示するもので、抽選結果が当選となって上記複数の識別情報が予め定められた特定組合せで停止表示された場合、遊技者に有利な状態である所謂「大当たり遊技状態」に移行する。この大当たり遊技状態では、やはり入賞口の一つである大入賞口に設けられた電動開閉部材の一つであるシャッタを、所定時間あるいは遊技球が所定数入球するまで開放した後閉鎖するという特別遊技状態（以下、「ラウンド遊技」という）を所定回数継続可能となっており、このラウンド遊技を継続するためには、通常、前記大入賞口内に設けられた所定の入球ゾーン（以下、「Ｖゾーン」ともいう）内に少なくとも１個の遊技球が入球することを条件としている。
【０００６】
また、前記表示装置の表示領域においては、可変表示ゲーム中、遊技者を楽しませたり、必要な情報を提供したりするために遊技に応じた演出表示がなされており、特に大当たり遊技状態においては、後どれくらいラウンド遊技を継続することができるのかに遊技者の興味が向くので、現在実行中のラウンド遊技が大当たり遊技状態になってから何回目に実行されたラウンド遊技なのかを示すラウンド標識を前記表示装置の表示領域に演出表示し、遊技者に何回目のラウンド遊技を実行中なのかを報知するようにしていた（例えば、特許文献１参照。）。
【特許文献１】特開２００４−３３３６９号公報
【発明の開示】
【発明が解決しようとする課題】
【０００７】
ところが、上記ラウンド標識を演出表示する従来の遊技機は、あくまでも遊技盤の略中央に所定の大きさで固定された表示装置を利用してラウンド標識の演出表示を行うために、特に初心者にとっては、その演出表示がラウンド標識を表したものであることがわかりにくかった。しかも、大当たり遊技状態において遊技者が注目している大入賞口から離れた場所でラウンド標識が演出表示されることになり、演出表示を見ようとすると大入賞口から目が離れてしまい、遊技に集中することができなかった。
【０００８】
さらに、前記表示装置は表示領域に限りがあるため、前記ラウンド標識に付随して大当たり遊技状態における遊技状況などを演出表示しようとしても、そのスペースがほとんど残されておらず、遊技者に報知できる情報数に限界があった。
【０００９】
本発明は、上記課題を解決することのできる遊技機を提供することを目的としている。
【課題を解決するための手段】
【００１０】
請求項１記載の本発明では、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤に演出表示可能領域を形成すると共に、この演出表示可能領域内において複数の識別情報を変動表示及び停止表示し、かつ遊技に応じた演出表示を行う表示手段と、前記複数の識別情報が予め定められた特定組合せで停止表示された場合、前記透明遊技盤上の可変入賞手段を開放及び閉鎖するラウンド遊技を所定回数継続可能な大当たり遊技状態に移行させる大当たり遊技実行手段と、実行中のラウンド遊技が何回目であるかを示すラウンド標識を、前記演出表示可能領域内の可変入賞手段に近接する位置に演出表示させる演出表示制御手段とを備える遊技機とした。
【００１１】
請求項２記載の本発明では、前記ラウンド標識は、前記可変入賞手段に重なった位置から近傍位置へ移動表示されることとした。
【００１２】
請求項３記載の本発明では、前記演出表示制御手段は、前記可変入賞手段の開放又は閉鎖を契機に前記ラウンド標識を演出表示させることとした。
【００１３】
請求項４記載の本発明では、前記可変入賞手段は、予め定められた所定個数の遊技球が入賞するまで若しくは所定時間経過するまで開放状態を維持し、前記所定個数の入賞を検知するか若しくは所定時間経過すると閉鎖すべく構成すると共に、この可変入賞手段に対して、前記所定個数を超えて入賞がなされたことを検知する余剰入賞検知手段を設け、前記演出表示制御手段は、前記余剰入賞検知手段により余剰入賞が検知されたラウンド遊技の回数を累計的に表示するようにした。
【００１４】
請求項５記載の本発明では、大当たり遊技状態における遊技球の入賞を検知する入賞検知手段を設け、前記演出表示制御手段は、前記入賞検知手段が検知した入賞数を累計的に表示するようにした。
【００１５】
請求項６記載の本発明では、前記演出表示制御手段は、実行中のラウンド遊技を含む大当たり遊技状態において継続可能な複数のラウンド遊技のラウンド標識を表示し、そのうち、実行中のラウンド遊技のラウンド標識を強調表示することにした。
【発明の効果】
【００１６】
本発明によれば、背後が透視可能な透明遊技盤と、この透明遊技盤の背面側に配設され、透明遊技盤に演出表示可能領域を形成する表示手段とを備え、大当たり遊技状態に移行してから何回目に実行されたラウンド遊技なのかを示すラウンド標識を、前記演出表示可能領域内の可変入賞手段に近接する位置に演出表示することができるので、遊技者は、その演出表示がラウンド標識を表したものであることを理解しやすく、遊技者に対し、現在何回目のラウンド遊技が実行されているかを分かりやすく伝えることができる。しかも、大当たり遊技状態においては、遊技者は可変入賞手段に遊技球を入賞させるべく遊技を行っているので、その注目している可変入賞手段に近接する位置にラウンド標識を演出表示することにより、遊技者は視線をあまり移動させることなく現在何回目のラウンド遊技が実行されているのかを確認することができ、遊技に集中することができる。
【発明を実施するための最良の形態】
【００１７】
本実施形態に係る遊技機は、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤に演出表示可能領域を形成すると共に、この演出表示可能領域内において複数の識別情報を変動表示及び停止表示し、かつ遊技に応じた演出表示を行う表示手段と、前記複数の識別情報が予め定められた特定組合せで停止表示された場合、前記透明遊技盤上の可変入賞手段を開放及び閉鎖するラウンド遊技を所定回数継続可能な大当たり遊技状態に移行させる大当たり遊技実行手段と、実行中のラウンド遊技が何回目であるかを示すラウンド標識を、前記演出表示可能領域内の可変入賞手段に近接する位置に演出表示させる演出表示制御手段とを備える構成としたものであり、パチンコ遊技機として好適に実施することができる。
【００１８】
すなわち、前記表示手段を、後述する可変表示ゲームにおいて識別情報の可変表示（変動表示及び停止表示）が行われる複数の可変表示ゲーム領域を設定可能な表示領域を有し、当該表示領域と前記透明遊技盤における遊技領域とが重なるように前記透明遊技盤の後方に配置したパチンコ遊技機とすることができ、例えば、遊技球の流下方向に変化を与える障害釘や風車、また遊技球の入賞口や入賞ゲートなどが設けられた遊技盤を、アクリル樹脂、ポリカーボネート樹脂、メタクリル樹脂などの各種合成樹脂などの透明部材により形成し、この遊技盤の略全領域を演出表示可能領域となすように、遊技盤の背後に液晶表示装置あるいは有機ＥＬ（Electronic  Luminescent）などの表示装置を配設することができる。
【００１９】
そして、かかるパチンコ遊技機において、実行中のラウンド遊技が何回目であるかを示すラウンド標識を、前記演出表示可能領域内の可変入賞手段に近接する位置に演出表示させるのである。
【００２０】
ここで、前記大当たり遊技実行手段により制御される大当たり遊技状態におけるラウンド遊技とは、前記入賞口の一つである可変入賞手段としての大入賞口に設けたシャッタを、所定時間あるいは遊技球が所定球数入球するまで開放した後閉鎖する遊技であり、大当たり遊技状態では、このラウンド遊技を所定回数（以下「ラウンド数」ともいう）繰り返すことができる。そして、前記ラウンド標識は、大当たり遊技状態に移行してから何回目に実行されるラウンド遊技であるのか、すなわち、そのラウンド遊技のラウンド数を示している。また、ラウンド遊技を継続するためには、前記大入賞口内に設けた所定の入球ゾーン（以下、「Ｖゾーン」ともいう）内に少なくとも１個の遊技球が入球することを条件としている。
【００２１】
また、上記大当たり遊技状態に移行するためには、遊技球が入賞口の一つである始動口に入賞したことを契機として抽選手段により実行される内部抽選に当選することが条件となる。
【００２２】
内部抽選は例えば１／３２０などの所定の抽選確率に設定されているが、この抽選結果は、前記表示装置上において、図柄などからなる複数の識別情報の組合せによって報知される。本実施形態では、この内部抽選に基づいて前記表示装置上で展開される前記複数の識別情報の変動表示及び停止表示、さらには各種演出表示を含めて可変表示ゲームと呼ぶ。
【００２３】
かかる可変表示ゲームに用いられる上記識別情報としての図柄は、数字を含む文字、記号、絵柄又は模様等を含むもので、前記表示装置内においては、かかる識別情報が複数個集合した識別情報群を、所定の大きさの演出表示領域中に複数列（例えば横３列）表示可能としている。なお、本実施形態では、この演出表示領域を、可変表示ゲーム実行中は可変表示ゲーム表示領域と呼ぶこともある。
【００２４】
また、識別情報の変動表示とは、各識別情報群に含まれる各識別情報を順次連続して表示させる形態であり、前記内部抽選結果が当選の場合は、複数の識別情報が同一図柄の組合せで停止表示され、それ以外の組合せによる停止表示は、抽選結果がはずれであることを意味する。また、識別情報群が横３列に表示されている場合、２つの識別情報群が同一図柄で停止表示され、残り一列の識別情報群が変動表示中の状態をリーチと呼ぶ。
【００２５】
そして、本実施形態のパチンコ遊技機は、前述したように、大当たり遊技状態において実行中のラウンド遊技が何回目であるかを示すラウンド標識を、可変入賞手段である大入賞口に近接する位置に演出表示させることを特徴としている。
【００２６】
従って、遊技者は、その演出表示がラウンド標識を表したものであることを理解しやすく、遊技者に対し、現在何回目のラウンド遊技が実行されているかを分かりやすく伝えることができる。しかも、大当たり遊技状態においては、遊技者は大入賞口に遊技球を入賞させるべく遊技を行っているので、その注目している大入賞口に近接する位置にラウンド標識を演出表示することにより、遊技者は視線をあまり移動させることなく現在何回目のラウンド遊技が実行されているのかを確認することができ、遊技に集中することができる。
【００２７】
なお、前記「大入賞口（可変入賞手段）に近接する位置」とは、大入賞口（可変入賞手段）に重なる位置と、大入賞口（可変入賞手段）に隣接する位置と、大入賞口（可変入賞手段）の周囲となる位置とを含む範囲を示しており、例えば、「大入賞口（可変入賞手段）に近接する位置」の中でラウンド標識の表示位置を移動させることもできる。
【００２８】
従って、前記ラウンド標識の表示態様として、大入賞口（可変入賞手段）に重なる位置から、大入賞口（可変入賞手段）に隣接する位置と、大入賞口（可変入賞手段）の周囲となる位置とを含む大入賞口（可変入賞手段）の近傍位置に、前記ラウンド標識を移動表示させることもでき、かかる表示態様とすれば、最初は大入賞口（可変入賞手段）と重なる位置にラウンド標識が表示されるので、遊技者に対して、大入賞口の開放回数を示すラウンド標識が表示されていることをスムーズに認識させることができると共に、その後、大入賞口（可変入賞手段）の近傍位置にラウンド標識を移動させることで、大入賞口とラウンド標識とが重なった状態が維持されて、大入賞口への遊技球の入賞が確認しづらくなるのを防止することができる。
【００２９】
また、ラウンド標識の他の表示態様として、大入賞口（可変入賞手段）に近接する位置に、実行中のラウンド遊技を含む大当たり遊技状態において継続可能な複数のラウンド遊技のラウンド標識を表示し、そのうち、実行中のラウンド遊技のラウンド標識を強調表示することもでき、かかる表示態様とすれば、遊技者に対して、継続可能なラウンド遊技の回数のうち、何回目のラウンド遊技まで実行できているかを認知させることができ、遊技者のラウンド遊技を継続させようとする意欲を高めて、遊技に集中させることができる。
【００３０】
なお、複数のラウンド標識を表示する際には、例えば、継続可能な全てのラウンド遊技のラウンド標識を表示しても良いし、継続可能なラウンド遊技のうち、実行中のラウンド遊技を含む前半に実行されるラウンド遊技のラウンド標識、又は後半に実行されるラウンド遊技のラウンド標識を表示するようにしてもよい。
【００３１】
また、前記ラウンド標識を演出表示する契機を、大入賞口（可変入賞手段）の開放又は閉鎖とすれば、今まさに開放された、又はこれから開放される大入賞口において行われるラウンド遊技のラウンド標識を表示していることを遊技者にスムーズに認識させることができるので、遊技者に対して現在のラウンド数を分かりやすく報知することができる。
【００３２】
さらに、本実施形態のパチンコ遊技機では、前述したように透明遊技盤の略全領域を演出表示可能領域としているので、同演出表示可能領域内の大入賞口に近接する位置に、ラウンド標識のみならず、大当たり遊技状態における遊技状況を示す多数の情報（以下、大当たり遊技情報という）をラウンド標識と共に演出表示することができる。
【００３３】
例えば、可変入賞手段である大入賞口は、前述したように予め定められた所定個数の遊技球が入賞するまで若しくは所定時間経過するまで開放状態を維持し、前記所定個数の入賞を検知するか若しくは所定時間経過すると閉鎖すべく構成されているので、この大入賞口に対して、前記所定個数を超えて入賞がなされたことを検知する余剰入賞検知手段を設け、前記演出表示制御手段が、前記余剰入賞検知手段により余剰入賞が検知されたラウンド遊技の回数を累計的に表示するようにすれば、透明遊技盤の演出表示可能領域に表示された余剰入賞の発生回数と、ラウンド標識が示すラウンド数とを比較して、どのくらいの割合で余剰入賞を発生させることができたかを簡単に確認することができる。従って、遊技者の余剰入賞を発生させようとする意欲を高めて、遊技者を遊技に引きつけることができる。
【００３４】
或いは、大当たり遊技状態における遊技球の入賞を検知するセンサ等の入賞検知手段を設け、前記演出表示制御手段が、前記入賞検知手段が検知した入賞数を累計的に表示するようにすれば、遊技者は大当たり遊技状態に移行してから現在実行中のラウンド遊技までに入賞した遊技球の個数（全入賞数）を知ることができ、かかる数値から現時点までの遊技状況を判断して、今後、ラウンド遊技を継続できた場合にはどの程度の入賞が見込めるかなど、今後の遊技への展望を抱くことができる。これにより、遊技者の遊技意欲や遊技への期待感を高めることができる。
【００３５】
このように、本実施形態のパチンコ遊技機では、ラウンド標識だけでなく大当たり遊技状態における遊技状況などもあわせて表示することができ、広い表示領域を使って遊技状況に関する様々な情報を演出表示することができるので、遊技者はかかる演出表示から大当たり遊技状態での遊技状況に関して多数の情報を得ることができる。
【００３６】
なお、上述したように演出表示可能領域内における演出表示を制御する演出表示制御手段としての機能は、パチンコ遊技機本体内の制御部が担っている。すなわち、この制御部は、ＣＰＵやパチンコ遊技全体の遊技プログラムを格納したメモリやその他書換え可能なメモリなどを備えてパチンコ遊技全体を制御しており、前記大当たり実行手段や余剰入賞検知手段の機能についても担っている。
【００３７】
以下、本発明の実施形態を、図面に基づいてより具体的に説明する。
【００３８】
（パチンコ遊技機の構成）
図１は本実施形態に係るパチンコ遊技機の斜視図、図２は同パチンコ遊技機を構成する各部の分解斜視図、図３は同パチンコ遊技機の正面図、図４は同パチンコ遊技機の制御回路を示すブロック図である。
【００３９】
図１〜図３に示すように、パチンコ遊技機１０は、遊技場に設けられる図示しない遊技機設置基台（遊技島）に当該パチンコ遊技機１０を固定するための外枠１１と、同外枠１１内に配設された本体枠１２と、同本体枠１２に着脱自在に取付けられた後述する透明遊技盤１４及びその他図示しない各種部品と、前記本体枠１２に一側が枢着されて開閉自在とした前枠１６と、さらに、前記透明遊技盤１４を通して視認されるように、当該透明遊技盤１４の背面側に位置するように、前記本体枠１２の裏側に着脱自在に取付けられた表示手段としての液晶表示装置３２とを備えている。
【００４０】
この液晶表示装置３２は、透明遊技盤１４の全部又は一部に背面側から重なるように配設されていればよく、本実施形態では、前記液晶表示装置３２を透明遊技盤１４の略全体に重なるように配設している。すなわち、少なくとも透明遊技盤１４上に形成される後述する遊技領域１５全体に重なるように配設している。なお、かかる遊技領域１５に該当しない透明遊技盤１４の前面領域（以下「遊技領域外域１５ａ」という）の全部又は一部とに重なるように配設しても構わない。
【００４１】
このように、前記液晶表示装置３２を、透明遊技盤１４の略全体に重なるように配設して透明遊技盤１４から透視可能とすることにより、本実施形態では、少なくとも透明遊技盤１４上の遊技領域１５全体を含む演出表示可能領域３２ａが形成されることになる。
【００４２】
そして、この演出表示可能領域３２ａ内に、後述する可変表示ゲームにおいて識別情報の可変表示を可能とすると共に、遊技に関する演出画像や背景画像を表示可能な演出表示領域、すなわち可変表示ゲーム表示領域３２ｂが形成される。この可変表示ゲーム表示領域３２ｂには、さらに後述する普通図柄ゲームにおける普通図柄９４についても表示することができる。
【００４３】
また、前記本体枠１２の上部にはスピーカ４６Ｒ，４６Ｌが取付けられると共に、下部右側には発射ハンドル２６が取付けられている。すなわち、本パチンコ遊技機１０で遊技を行う遊技者は、前記発射ハンドル２６等の操作ができるように当該パチンコ遊技機１０の前方側に位置することとなり、前記透明遊技盤１４と対向状態となる。
【００４４】
また、発射ハンドル２６の裏側には、ソレノイドなどからなる弾球装置を備える発射装置１３０（図４を参照）が設けられ、さらに、この発射ハンドル２６の周縁部には、タッチセンサ（図示せず）が設けられており、このタッチセンサが触接されたときに、発射ハンドル２６が遊技者により握持されたと検知される。そして、発射ハンドル２６が遊技者によって握持され、かつ時計回り方向へ回動操作されたときには、その回動角度に応じて発射装置１３０に電力が供給されて遊技球が透明遊技盤１４に順次発射される。なお、発射ハンドル２６に設けられるタッチセンサは、遊技者が発射ハンドル２６を握持したと判別できるものであればよく、光学的に検知するものや、熱により検知するもの等、センサの種類を問わない。
【００４５】
なお、図１〜図３中、２１は前記本体枠１２の前面下部に取付けられた受皿ユニットであり、上皿２０及び下皿２２が形成され、前記前枠１６の下側に位置するように配設されている。前記上皿２０に貯留された遊技球が発射装置１３０に供給されるようになっており、上皿２０の容量を越えた遊技球が下皿２２に供給されるようになっている。また、１９はガラスなどからなる透明保護板であり、前記前枠１６の開口部に取付けられている。４６’は前記スピーカ４６Ｒ，４６Ｌのカバーであり、前記前枠１６の上部に形成されている。１３２は演出表示や報知などに用いられる各種ランプである。
【００４６】
本実施形態に係る前記透明遊技盤１４は、アクリル樹脂を用いた透明部材により形成されて全体が透過性を有しており、その前面には円弧状のガイドレール３０ａ，３０ｂを設け、このガイドレール３０ａ，３０ｂに囲まれた内側を遊技領域１５としている。前記発射ハンドル２６の操作により発射された遊技球は、ガイドレール３０ａにより案内されて前記遊技領域１５内を流下する。
【００４７】
また、透明遊技盤１４上には、図２に示すように複数の障害釘１３を打ち込んでおり、遊技球が遊技領域１５を上部から下部へ流下する際の流下方向を複雑に変化させるようにしている。なお、障害釘１３を打ち込むような構成とせず、透明遊技盤１４に樹脂製又は金属製の棒状体を透明遊技盤１４の前方向に突設する構成としてもよい（所謂パチコン機）。なお、障害釘１３については、図１及び図３では省略している。
【００４８】
さらに、この透明遊技盤１４（遊技領域１５）の略中央位置には、図３に示すように、遊技球の流下方向を大きく変化させる第一遊技球誘導部材３及び第二遊技球誘導部材４が上下に対向状態に配設されている。本実施形態では、図示するように、これら第一遊技球誘導部材３及び第二遊技球誘導部材４の間を前記可変表示ゲーム表示領域３２ｂとしている。なお、これら第一遊技球誘導部材３及び第二遊技球誘導部材４についても透明部材で形成することができる。
【００４９】
また、透明遊技盤１４には、遊技球が入球すると入賞となる複数の一般入賞口５、前記可変表示ゲームが開始される契機となる始動口６、及び可変表示ゲームで当選した際に実行されるラウンド遊技において所定時間開放可能とした大入賞口８、さらには前記一般入賞口５、可変表示ゲーム開始の契機となる始動口６、大入賞口８に入球しなかった遊技球が遊技領域外域１５ａへ排出されるアウト口７が配設されている。
【００５０】
なお、本実施形態では、前記始動口６が、特定入賞口、抽選用入賞口、及び可変入賞手段としての機能を担っている。また、前記大入賞口８が、大当たり入賞口、及び可変入賞手段としての機能を担っている。また、前記始動口６と大入賞口８と一般入賞口５とが、入賞手段としての機能を担っている。
【００５１】
前記大入賞口８には、開閉自在なシャッタ４０が設けられており、前記ラウンド遊技においては、このシャッタ４０が遊技球を受け入れやすい開放状態となる。また、この大入賞口８内には、Ｖカウントセンサ１０２（図４参照）を有する、Ｖゾーンと呼ぶ特定領域（図示せず）と、カウントセンサ１０４（図４参照）を有する一般領域（図示せず）とが設けられており、それらの領域を遊技球が所定個数（例えば１０個）通過するか、又は、所定時間（例えば３０秒）が経過するまで前記シャッタ４０が開放状態に駆動される。つまり、開放状態において大入賞口８への所定数の遊技球の入賞又は所定時間の経過のいずれかの条件が成立すると、大入賞口８を、遊技球を受け入れ難い閉鎖状態にする。続いて、開放状態から閉鎖状態となったシャッタ４０は、開放状態において大入賞口８に受け入れられた遊技球がＶカウントセンサ１０２を通過したことを条件に、再度開放状態に駆動される。つまり、大入賞口８が開放状態のときに受け入れられた遊技球が、大入賞口８内に設けられたＶゾーンを通過したことを条件に、閉鎖状態となった後に再度開放状態となり、ラウンド遊技が継続可能となる。
【００５２】
また、この大入賞口８の上方位置に設けた前記始動口６は、前述したように可変表示ゲーム開始の契機となるものであり、この始動口６に遊技球が入賞した場合に可変表示ゲームが開始され、前記可変表示ゲーム表示領域３２ｂ上において複数列の識別情報群が変動表示される。なお、本実施形態における可変表示ゲームに用いられる識別情報としての図柄は算用数字０〜９までとしており、識別情報が複数個集合した識別情報群を、所定の大きさの可変表示ゲーム表示領域３２ｂ中に横３列で表示可能としている。
【００５３】
可変表示ゲームの開始条件としては、前記始動口６に遊技球が入賞したことを条件としており、所定の識別情報群の変動表示開始条件が成立する毎に識別情報群の変動表示を行うこととなる。なお、本実施形態においては、始動口６に遊技球が入賞したことを可変表示ゲームの可変表示開始条件としたが、これに限るものではなく、別の態様であってもよい。
【００５４】
また、遊技球が始動口６に入球した場合において、可変表示ゲームが実行中の場合であり、上限の保留数に達していないことを条件として、可変表示ゲームを保留しておくことができる。すなわち、可変表示ゲームにおける識別情報群の変動表示中に遊技球が始動口６へ入賞した場合、変動表示中の識別情報群が停止表示されるまで、当該始動口６への遊技球の入賞に基づく識別情報群の変動表示の実行（開始）が保留される。そして、識別情報群の可変表示の実行が保留されている状態で、各識別情報群の識別情報が停止表示された場合には、保留されている識別情報群の可変表示の実行が開始される。ここで、識別情報が停止表示された場合に実行される識別情報群の可変表示の実行は一回分である。例えば、識別情報群の変動表示の実行が三回分保留されている状態で、識別情報が停止表示された場合には、保留されている識別情報の可変表示のうち一回分が実行され、残りの二回分はその後も保留される。
【００５５】
なお、前記一般入賞口５及び大入賞口８に入球した場合の入賞には、例えば入球１個につき１０球の遊技球が賞球として払い出され、前記始動口６に入球した場合の入賞には、入球１個につき例えば５球の遊技球が賞球として払い出されるようにしている。
【００５６】
また、前記始動口６の左右側には、球通過検出ゲート５５，５５が設けられており、この球通過検出ゲート５５が遊技球の通過を検出したときには、図３に示すように、前記液晶表示装置３２の所定位置において普通図柄９４が変動し、例えば図示するような○印などの所定の図柄で停止表示されると、普通電動役物ソレノイド１１８（図４を参照）により、前記始動口６に付設した可動片５８（所謂チューリップと呼ばれる電動役物）が初期状態の閉鎖状態から開方向に駆動され、始動口６に遊技球が入りやすくなるようにしている。なお、所定時間経過すると可動片５８は再び閉鎖されて遊技球が始動口６に入りにくい状態に戻る。本実施形態では、このような普通図柄９４の変動表示及び停止表示を普通図柄ゲームと呼ぶ。
【００５７】
さらに、透明遊技盤１４の裏面には、入賞した遊技球の通路９が設けられており、前記一般入賞口５、始動口６及び大入賞口８に入球した遊技球は当該通路９を通って回収される。なお、前記通路９を通過する遊技球は、透明遊技盤１４を通して遊技者から視認することが可能である。
【００５８】
上記構成により、本実施形態に係るパチンコ遊技機１０は、前記透明遊技盤１４と、この透明遊技盤１４から透視可能に配設された前記液晶表示装置３２により、透明遊技盤１４の略全域が演出表示可能領域３２ａとして形成され、遊技球を発射して入賞による賞球の獲得を目指すパチンコ遊技を従来通りに楽しみながら、遊技に応じた多彩な演出表示を、透明遊技盤１４の略全域のいたる個所で表示可能とし、大きな演出効果によって遊技者を楽しませ、興趣の向上を図ることができる。また、従来では、液晶表示装置３２のサイズを大きくすると、遊技領域１５のサイズが相対的に小さくなり、遊技球の挙動の変化が乏しくなってパチンコ遊技の興趣を削ぐおそれがあったが、本パチンコ遊技機１０の構成により、演出表示可能領域３２ａを拡大して多様な演出を実行可能としながら遊技領域１５も十分広く確保することができる。
【００５９】
特に、本実施形態では、後述する可変表示ゲームの実行が保留された場合、前記演出表示可能領域３２ａの始動口６と近接する位置に可変表示ゲームの保留数を演出表示させたり、可変表示ゲームから大当たり遊技状態に移行した場合、前記演出表示可能領域３２ａの大入賞口８と近接する位置に、ラウンド標識や大入賞口８への入賞状況を含む大当たり遊技状態における遊技状況を演出表示させたり、さらには、可変表示ゲームや普通図柄ゲームにおいて実行された内部抽選の抽選結果が当選となった場合、前記演出表示可能領域３２ａの始動口６や大入賞口８と重なる位置に当選を予兆する演出画像を表示させたりするようにしている。かかる制御を実行する演出表示制御手段や予兆手段については後に詳述する。
【００６０】
また、本実施形態に係る液晶表示装置３２は、前記透明遊技盤１４から分離して前記本体枠１２に取付けられているため、透明遊技盤１４に液晶表示装置３２の重量が掛からず、作業者がパチンコ遊技機１０をメンテナンスするときなどに労力を軽減することができ、さらに透明遊技盤１４の取替えなども自由に行うことができる。
【００６１】
（パチンコ遊技機の電気的構成）
本実施形態に係るパチンコ遊技機１０の制御回路を示すブロック図を図４に示す。
【００６２】
図示するように、制御部としての主制御回路６０は、メインＣＰＵ６６、メインＲＯＭ（読み出し専用メモリ）６８、メインＲＡＭ（読み書き可能メモリ）７０を備えている。この主制御回路６０は、遊技の進行を制御する。すなわち、主制御回路６０は、前記演出表示制御手段や予兆手段をはじめ、内部抽選手段、可変表示ゲーム実行手段、可変表示ゲーム保留手段、保留累計数カウント手段、平均値算出手段、大当たり遊技実行手段、余剰入賞検知手段、入賞数カウント手段、アウト球カウント手段、開放時間カウント手段など、複数の手段として機能することとなる。
【００６３】
メインＣＰＵ６６には、メインＲＯＭ６８、メインＲＡＭ７０等が接続されており、このメインＲＯＭ６８に記憶されたプログラムに従って、各種の処理を実行する機能を有する。このように、メインＣＰＵ６６は、前記演出表示制御手段及び予兆手段をはじめ、前述した各種の手段として機能することとなる。
【００６４】
メインＲＯＭ６８には、メインＣＰＵ６６によりパチンコ遊技機１０の動作を制御するためのプログラムが記憶されており、その他には、乱数抽選によって大当たり判定をする際に参照される大当たり判定テーブルや、演出を選択する際に参照される演出条件選択テーブルなどの各種のテーブルが記憶されている。
【００６５】
なお、本実施形態においては、プログラム、テーブル等を記憶する媒体としてメインＲＯＭ６８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。また、これらのプログラムは、予め記録されているものでなくとも、電源投入後にこれらのプログラムをダウンロードしてメインＲＡＭ７０等に記録されるものでもよい。さらに、プログラムの各々が別々の記憶媒体に記録されていてもよい。また、本実施形態においてはメインＣＰＵ６６、メインＲＯＭ６８及びメインＲＡＭ７０を別々に設けたが、これらが一体となっているワンチップマイコンを使用してもよい。
【００６６】
メインＲＡＭ７０は、メインＣＰＵ６６の一時記憶領域として種々のフラグや変数の値を記憶する機能を有する。メインＲＡＭ７０に記憶されるデータの具体例としては、以下のようなものがある。
【００６７】
メインＲＡＭ７０には、制御状態フラグ、特定領域通過フラグ、高確率フラグ、大当たり判定用乱数カウンタ、大当たり図柄決定用乱数カウンタ、はずれ図柄決定用乱数カウンタ、演出条件選択用乱数カウンタ、大入賞口開放回数カウンタ、大入賞口入賞カウンタ、余剰入賞発生ラウンドカウンタ、入賞口入賞カウンタ、アウト球カウンタ、始動記憶数カウンタ、球通過記憶数カウンタ、待ち時間タイマ、大入賞口開放時間タイマ、保留数抽出タイマ、保留数抽出データ及び平均保留数データ、後述する副制御回路２００にコマンドを供給するためのデータ、変数等が位置付けられている。
【００６８】
制御状態フラグは、可変表示ゲームの制御状態を示すものである。特定領域通過フラグは、遊技球が特定領域を通過したか否かを判断するためのものである。高確率フラグは、大当たり遊技状態に移行する確率を相対的に高めるか否かを示すものである。
【００６９】
大当たり判定用乱数カウンタは、可変表示ゲームの大当たりを判定するためのものである。大当たり図柄決定用乱数カウンタは、可変表示ゲームで大当たりを判定した場合に、停止表示される大当たりに係る識別情報としての図柄（以下「特別図柄」という）を決定するためのものである。はずれ図柄決定用乱数カウンタは、大当たりではない場合に停止表示する識別情報を決定するためのものである。演出条件選択用乱数カウンタは、識別情報の変動表示パターンを決定するためのものである。これらのカウンタは、メインＣＰＵ６６により順次“１”増加するように記憶更新されており、所定のタイミングで各カウンタから乱数値を抽出することにより、メインＣＰＵ６６の各種の機能を実行することとなる。なお、本実施形態においては、このような乱数カウンタを備え、プログラムに従って、メインＣＰＵ６６が、乱数カウンタを“１”増加させるように記憶更新する構成としたが、これに限らず、別個に、乱数発生器のような装置を備えるように構成してもよい。また、はずれではあるが、リーチとするか否かを判定するためのリーチ判定用乱数カウンタを設けてもよい。
【００７０】
大入賞口開放回数カウンタは、１回の大当たり遊技状態における大入賞口８の開放回数、すなわちラウンド遊技数（所謂ラウンド数）を示すものであり、初期設定時やカウンタのクリア時には“１”となっている。そして、メインＣＰＵ６６は、Ｖカウントセンサ１０２から所定の検知信号が供給された場合に、大入賞口開放回数カウンタを“１”増加させるように記憶更新する。
【００７１】
大入賞口入賞カウンタは、１ラウンド中に大入賞口８に入賞し、Ｖカウントセンサ１０２又はカウントセンサ１０４を通過した遊技球の数を示すものである。
【００７２】
余剰入賞発生ラウンドカウンタは、１回の大当たり遊技状態において余剰入賞が発生したラウンド遊技の回数（以下、余剰入賞発生ラウンド数ともいう）を示すものである。メインＣＰＵ６６は、前記大入賞口入賞カウンタによってカウントされた１ラウンド中の大入賞口８への入賞数と予め設定された１ラウンド中の上限入賞数（例えば１０個）とを比較し、大入賞口入賞カウンタによってカウントされた入賞数が前記上限入賞数よりも大きい場合に、そのラウンド遊技において余剰入賞が発生したと判断して余剰入賞発生ラウンドカウンタを“１”増加させるように記憶更新する。
【００７３】
入賞口入賞カウンタは、１回の大当たり遊技状態における全入賞数を示すものである。メインＣＰＵ６６は、大当たり遊技状態中、各種入賞口に遊技球が入賞したと判断した場合、具体的には、後述するＶカウントセンサ１０２、カウントセンサ１０４、一般入賞球センサ１０６、又は始動入賞球センサ１１６から所定の検知信号が供給された場合に、入賞口入賞カウンタを“１”増加させるように記憶更新する。
【００７４】
アウト球カウンタは、１ラウンド中に透明遊技盤１４上に設けられた入賞口のいずれにも入賞しなかった遊技球の個数、所謂アウト球数を示すものである。メインＣＰＵ６６は、後述するアウト球センサ１１２から所定の検知信号が供給された場合に、アウト球カウンタを“１”増加させるように記憶更新する。
【００７５】
始動記憶数カウンタは、可変表示ゲームの保留数（ゲーム保留累計数）を示すものである。すなわち、始動口６へ遊技球が入賞したが、識別情報の変動表示が実行できないときに、当該変動表示を保留するが、その保留されている識別情報の変動回数を示すものである。
【００７６】
球通過記憶数カウンタは、普通図柄ゲームの保留数（以下、球通過記憶数ともいう）を示すものである。すなわち、球通過検出ゲート５５に遊技球が通過したが、普通図柄９４の変動表示が実行できないときに、当該変動表示を保留するが、その保留されている普通図柄９４の変動回数を示すものである。
【００７７】
待ち時間タイマは、主制御回路６０と副制御回路２００とにおいて実行される処理の同期を取るためのものである。また、大入賞口開放時間タイマは、シャッタ４０を駆動させ、大入賞口８を開放状態としている時間（以下、単に大入賞口開放時間という）を計測するためのものである。また、保留数抽出タイマは、可変表示ゲームの保留数を抽出するタイミング（以下、保留数抽出タイミングという）であるか否か判断するために用いるものである。なお、本実施形態におけるタイマは、メインＲＡＭ７０において、所定の周期で、その所定の周期だけ減算されるように記憶更新されるが、これに限らず、ＣＰＵ等自体がタイマを備えていてもよい。
【００７８】
保留数抽出データは、前記保留数抽出タイミングに抽出された保留数を示すデータである。本実施形態では、所定時間（例えば１０分）毎に保留数抽出タイミングを設けており、前記保留数抽出データがメインＲＡＭ７０の所定領域に所定数記憶される度に、その記憶された保留数抽出データに基づきメインＣＰＵ６６が保留数の平均値を算出する。その算出された平均保留数を示すデータが、平均保留数データである。
【００７９】
また、メインＲＡＭ７０には、特別図柄記憶領域、普通図柄記憶領域が位置付けられ、記憶されている。
【００８０】
特別図柄記憶領域は、可変表示ゲームにおける１回の可変表示に対応する大当たり判定用乱数値、大当たり図柄用乱数値、クリアデータ等のデータが記憶されており、特別図柄記憶領域（０）から特別図柄記憶領域（４）がある。特別図柄記憶領域（０）には、今現在実行されている可変表示に対応するデータが記憶されている。また、特別図柄記憶領域（１）から特別図柄記憶領域（４）には、現在実行されている可変表示が終了した後に実行される可変表示に対応するデータ（始動記憶情報）が記憶されている。つまり、特別図柄記憶領域（０）から特別図柄記憶領域（４）の全てのデータがクリアデータである場合には、現在の可変表示が実行されず、可変表示を実行するための保留も行われていないこととなる。また、現在の識別情報の可変表示が終了した場合には、特別図柄記憶領域（１）から特別図柄記憶領域（４）の各々のデータを、特別図柄記憶領域（０）から特別図柄記憶領域（３）にシフトし、特別図柄記憶領域（４）にクリアデータを記憶する。これによって、特別図柄記憶領域の更新が行われる。一方、普通図柄記憶領域に関しても、特別図柄記憶領域と同じように、普通図柄記憶領域（０）から普通図柄記憶領域（４）がある。また、特別図柄記憶領域と同じように、普通図柄記憶領域の更新制御が行われる。
【００８１】
なお、本実施形態においては、メインＣＰＵ６６の一時記憶領域としてメインＲＡＭ７０を用いているが、これに限らず、読み書き可能な記憶媒体であればよい。
【００８２】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。なお、このリセット用クロックパルス発生回路６２は、後述するシステムタイマ割込処理を実行するために、所定の周期（例えば２ミリ秒）毎にクロックパルスを発生する。なお、このシリアル通信用ＩＣ７２は、各種のコマンドを副制御回路２００（副制御回路２００に含まれる各種の手段）へ送信する送信手段に相当する。
【００８３】
また、主制御回路６０には、各種の装置が接続されており、例えば、図４に示すように、Ｖカウントセンサ１０２、カウントセンサ１０４、一般入賞球センサ１０６、アウト球センサ１１２、通過球センサ１１４、始動入賞球センサ１１６、普通電動役物ソレノイド１１８、大入賞口ソレノイド１２０、シーソーソレノイド１２２、バックアップクリアスイッチ１２４が接続されている。なお、本実施形態では、前記Ｖカウントセンサ１０２、カウントセンサ１０４、一般入賞球センサ１０６、及び始動入賞球センサ１１６が、入賞検知手段としての機能を担っている。
【００８４】
ここで、前記Ｖカウントセンサ１０２は、大入賞口８におけるＶゾーン内に設けられている。このＶカウントセンサ１０２は、大入賞口８におけるＶゾーンを遊技球が通過した場合に、所定の検知信号を主制御回路６０に供給する。
【００８５】
カウントセンサ１０４は、大入賞口８におけるＶゾーンとは異なる一般入球ゾーンに設けられている。このカウントセンサ１０４は、大入賞口８における一般入球ゾーンを遊技球が通過した場合に、所定の検知信号を主制御回路６０に供給する。
【００８６】
一般入賞球センサ１０６は、一般入賞口５に設けられている。この一般入賞球センサ１０６は、各一般入賞口５を遊技球が通過した場合に、所定の検知信号を主制御回路６０に供給する。
【００８７】
アウト球センサ１１２は、アウト口７に設けられている。このアウト球センサ１１２は、アウト口７に遊技球が通過した場合に、所定の検知信号を主制御回路６０に供給する。
【００８８】
通過球センサ１１４は、球通過検出ゲート５５にそれぞれ設けられている。この通過球センサ１１４は、球通過検出ゲート５５を遊技球が通過した場合に、所定の検知信号を主制御回路６０に供給する。
【００８９】
始動入賞球センサ１１６は始動口６に設けられている。この始動入賞球センサ１１６は、始動口６に遊技球が入賞した場合に、所定の検知信号を主制御回路６０に供給する。
【００９０】
普通電動役物ソレノイド１１８は、リンク部材（図示せず）を介して前記始動口６に付設された可動片５８に接続されており、メインＣＰＵ６６から供給される駆動信号に応じて、可動片５８を開放状態又は閉鎖状態とする。
【００９１】
大入賞口ソレノイド１２０は、大入賞口８を開閉するシャッタ４０（図３を参照）に接続されており、メインＣＰＵ６６から供給される駆動信号に応じて、シャッタ４０を駆動させ、大入賞口８を開放状態又は閉鎖状態とする。
【００９２】
シーソーソレノイド１２２は、板形状でシャッタ４０の内側に設けられている図示しないシーソーに接続されており、メインＣＰＵ６６から供給される駆動信号に応じて、シーソーを変位させ、そのシーソーの傾斜を変更する。このシーソーが傾斜された結果、遊技球が前記Ｖゾーンを通過しやすくなるように、又は前記一般入球ゾーンを通過しやすくなるように切り替えることとなる。
【００９３】
バックアップクリアスイッチ１２４は、パチンコ遊技機１０に内蔵されており、電断時等におけるバックアップデータを遊技場の管理者の操作に応じてクリアする機能を有するものである。
【００９４】
また、主制御回路６０には、払出・発射制御回路１２６が接続されている。この払出・発射制御回路１２６には、賞球となる遊技球の払出を行う払出装置１２８、遊技球の発射を行う発射装置１３０、カードユニット１５０が接続されている。
【００９５】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、払出・発射制御回路１２６は、発射装置１３０に対して発射信号を供給することにより、遊技球を発射させる制御を行う。
【００９６】
また、前記発射装置１３０には、前述した発射用ソレノイド（あるいは発射用モータ）、タッチセンサ等の遊技球を発射させるための装置が備えられている。
【００９７】
さらには、シリアル通信用ＩＣ７２には、副制御回路２００が接続されている。この副制御回路２００は、主制御回路６０から供給される各種のコマンドに応じて、液晶表示装置３２における表示制御、スピーカ４６から発生させる音声に関する制御、各種ランプ１３２の制御等を行うものであり、本実施形態では、可変表示ゲーム及び大当たり遊技状態において、演出表示可能領域３２ａでの演出表示を制御する演出表示制御手段として、また、可変表示ゲーム及び普通図柄ゲームにおける内部抽選の当選を予兆する予兆手段としても機能する。
【００９８】
なお、本実施形態においては、主制御回路６０から副制御回路２００に対してコマンドを供給すると共に、副制御回路２００から主制御回路６０に対して信号を供給できないように構成したが、これに限らず、副制御回路２００から主制御回路６０に対して信号を送信できるように構成してもよい。
【００９９】
演出表示制御手段及び予兆手段としての副制御回路２００は、表示手段に対する表示制御を行う表示制御手段としてのサブＣＰＵ２０６、記憶手段としてのプログラムＲＯＭ２０８、ワークＲＡＭ２１０、液晶表示装置３２における表示制御を行うための表示制御回路２５０、スピーカ４６Ｒ，４６Ｌから発生させる音声に関する制御を行う音声制御回路２３０、各種ランプ１３２の制御を行うランプ制御回路２４０から構成されており、主制御回路６０からの指令に応じて遊技の進行に応じた演出を実行する。
【０１００】
サブＣＰＵ２０６には、プログラムＲＯＭ２０８、ワークＲＡＭ２１０等が接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。特に、サブＣＰＵ２０６は、液晶表示装置３２に対する表示制御を行うと共に、前記演出表示制御手段及び予兆手段をはじめ、後述する各種の手段として機能することとなる。
【０１０１】
前記プログラムＲＯＭ２０８には、サブＣＰＵ２０６によりパチンコ遊技機１０の遊技演出を制御するためのプログラムが記憶されており、その他には、演出に関する決定を行うためのテーブル等の各種のテーブルも記憶されている。
【０１０２】
また、プログラムＲＯＭ２０８には、複数種類の演出パターンが記憶されている。この演出パターンは、演出表示の進行に関するものである。副制御回路２００による演出表示は、識別情報の変動表示及び停止表示を含む可変表示ゲームの進行に応じて実行され、本実施形態では、可変表示ゲームの保留数（ゲーム保留累計数）を報知するための保留数演出パターン、現在実行中のラウンド遊技のラウンド数を示すラウンド標識や大入賞口８への入賞状況を含む大当たり遊技状態における遊技状況を報知するための大当たり遊技情報演出パターン、さらに、可変表示ゲームの当選（大当たり）を予兆する大入賞口８が開放状態となる大当たり予兆演出パターンや、普通図柄ゲームの当選を予兆する始動口６が開放状態となる始動口開放予兆演出パターンなどが前記プログラムＲＯＭ２０８に記憶され、適宜呼び出されて実行される。
【０１０３】
なお、本実施形態に係る副制御回路２００において、プログラム、テーブル等を記憶する記憶手段としてプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。もちろん、記憶手段としてメインＲＯＭ６８を用いてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【０１０４】
またさらに、本実施形態において、メインＣＰＵ６６及びメインＲＯＭ６８を含む主制御回路６０と、サブＣＰＵ２０６及びプログラムＲＯＭ２０８を含む副制御回路２００とを別々に構成したが、メインＣＰＵ６６及びメインＲＯＭ６８を含む主制御回路６０のみで構成してもよく、この場合には、上述したプログラムＲＯＭ２０８に記憶されているプログラムをメインＲＯＭ６８に記憶させ、メインＣＰＵ６６により実行されるように構成してもよい。もちろん、サブＣＰＵ２０６及びプログラムＲＯＭ２０８を含む副制御回路２００のみで構成するようにしてもよく、この場合には、上述したメインＲＯＭ６８に記憶されているプログラムをプログラムＲＯＭ２０８に記憶させ、サブＣＰＵ２０６により実行されるように構成してもよい。
【０１０５】
ワークＲＡＭ２１０は、サブＣＰＵ２０６の一時記憶領域として種々のフラグや変数の値を記憶する機能を有する。例えば、演出パターンを選択するための演出表示選択用乱数カウンタ等、各種の変数等が位置付けられている。
【０１０６】
なお、本実施形態においては、サブＣＰＵ２０６の一時記憶領域としてワークＲＡＭ２１０を用いているが、これに限らず、読み書き可能な記憶媒体であればよい。
【０１０７】
表示制御回路２５０は、表示制御手段としての画像データプロセッサ（以下、ＶＤＰという）２１２、各種の画像データを記憶する画像データＲＯＭ２１６、画像データを画像信号として変換するＤ／Ａコンバータ２１８、電源投入時においてリセット信号を生成する初期リセット回路２２０から構成されている。
【０１０８】
上述したＶＤＰ２１２は、サブＣＰＵ２０６、画像データが記憶されている画像データＲＯＭ２１６、画像データを画像信号に変換するＤ／Ａコンバータ２１８、初期リセット回路２２０と接続されている。
【０１０９】
このＶＤＰ２１２は、いわゆるスプライト回路、スクリーン回路、及びパレット回路等の回路を含み、液晶表示装置３２に画像を表示させるための種々の処理を行うことができる装置である。つまり、ＶＤＰ２１２は、液晶表示装置３２に対する表示制御を行う。また、ＶＤＰ２１２には、液晶表示装置３２の可変表示ゲーム表示領域３２ｂを含む演出表示可能領域３２ａに画像を表示するためのバッファとしての記憶媒体（例えば、ビデオＲＡＭ）を備えている。この記憶媒体の所定の記憶領域に画像データを記憶することによって、所定のタイミングで液晶表示装置３２の演出表示可能領域３２ａに画像が表示されることとなる。
【０１１０】
画像データＲＯＭ２１６には、識別情報を示す識別情報画像データ、背景画像データ、演出画像データ、普通図柄９４を示す普通図柄画像データ等の各種の画像データが別個に記憶されている。もちろん、関連画像を示す関連画像データも記憶されている。
【０１１１】
また、ＶＤＰ２１２は、サブＣＰＵ２０６から供給される画像表示命令に応じて、画像データＲＯＭ２１６から、識別情報を示す識別情報画像データ、普通図柄９４を示す普通図柄画像データ、背景画像データ、演出画像データ等、各種の画像データを読み出し、液晶表示装置３２に表示させる画像データを生成する。特に、本実施形態では、可変表示ゲームの保留数を報知する演出画像（以下、保留数演出画像ともいう）は始動口６と近接する位置に、大入賞口８への入賞状況や実行中のラウンド遊技のラウンド標識を含む大当たり遊技状態における遊技状況を報知する演出画像（以下、大当たり遊技情報演出画像ともいう）は大入賞口８と近接する位置に、可変表示ゲームの当選を予兆する演出画像（以下、大当たり予兆演出画像ともいう）は大入賞口８と重なる位置に、普通図柄ゲームの当選を予兆する演出画像（以下、始動口開放予兆演出画像ともいう）は始動口６と重なる位置に表示させるべく画像データを生成する。さらに、このＶＤＰ２１２は、生成した画像データを、後方に位置する画像データから順に重ね合わせてバッファに記憶し、所定のタイミングでＤ／Ａコンバータ２１８に供給する。このＤ／Ａコンバータ２１８は、画像データを画像信号として変換し、この画像信号を液晶表示装置３２に供給することにより、液晶表示装置３２に画像を表示させる。
【０１１２】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰという）から構成されている。
【０１１３】
この音源ＩＣ２３２は、サブＣＰＵ２０６、初期リセット回路２２０、音声データＲＯＭ２３４、ＡＭＰ２３６と接続されている。この音源ＩＣ２３２は、スピーカ４６から発生させる音声の制御を行う。
【０１１４】
サブＣＰＵ２０６は、演出パターンを選択し、音声データＲＯＭ２３４に記憶されている複数の音声データから一つの音声データを選択する。その後、サブＣＰＵ２０６は、選択された音声データを音声データＲＯＭ２３４から読み出し、音源ＩＣ２３２に供給する。音声データを受け取った音源ＩＣ２３２は、その音声データを所定の音声信号に変換し、その音声信号をＡＭＰ２３６に供給する。ＡＭＰ２３６は、音声信号を増幅させ、スピーカ４６（４６Ｒ，４６Ｌ）から音声を発生させる。
【０１１５】
ランプ制御回路２４０は、ランプ制御信号を供給するためのドライブ回路２４２、複数種類のランプ装飾パターン等が記憶されている装飾データＲＯＭ２４４から構成されている。
【０１１６】
（表示画面の説明）
次に、上記構成からなるパチンコ遊技機１０において実行される可変表示ゲームに関し、本発明の特徴となる演出表示の実行画面について、図５〜図７を用いて説明する。
【０１１７】
例えば識別情報群の可変表示の実行が保留されていない状態において、始動口６に遊技球が入球すると、可変表示ゲーム表示領域３２ｂ上では、図５（ａ）に示すように、３列の識別情報群が変動表示される。このとき、変動表示に伴ってキャラクタ画像による演出が表示される。そして、乱数抽選による内部抽選によって当選となって、例えば図５（ｂ）に示すように、識別情報が「７７７」の組合せで停止表示された場合、主制御回路６０から供給されるコマンドに従って、副制御回路２００は演出表示制御手段として機能して演出表示を制御する。すなわち、図６に示すように、演出表示可能領域３２ａ内の大入賞口８と近接する位置に、実行中のラウンド遊技のラウンド標識を示す画像ａ４と、大当たり遊技状態における全入賞数を示す画像ａ５と、大当たり遊技状態における余剰入賞発生ラウンド数を示す画像ａ６とを大当たり遊技情報演出画像として表示し、遊技者に対して、現在実行中のラウンド遊技のラウンド数と、大当たり遊技状態に移行してから現時点までの大当たり遊技状態中の全入賞数及び余剰入賞発生ラウンド数を報知するようにしている。従って、遊技者に対して現在実行中のラウンド遊技におけるラウンド数を分かりやすく報知することができると共に、大当たり遊技状態の遊技状況に関する多数の情報を報知することができ、遊技者は、かかる情報を参照しながら現在の自分の遊技状況を分析して、より遊技結果が向上するように積極的に遊技に取り組むことができる。
【０１１８】
しかも、本実施形態では、上述した実行中のラウンド遊技のラウンド数と、大当たり遊技状態に移行してから現時点までの大当たり遊技状態中の全入賞数及び余剰入賞発生ラウンド数の他にも、実行中のラウンド遊技における大入賞口８の開放時間を示す開放時間メータの画像ａ１と、実行中のラウンド遊技における大入賞口８への入賞数を示す入賞数メータの画像ａ２と、実行中のラウンド遊技におけるアウト口７への入球数（アウト球数）を示すアウト球数メータの画像ａ３とを大当たり遊技情報演出画像として大入賞口８と近接する位置に表示し、遊技者に対して実行中のラウンド遊技における大入賞口８の開放時間と、大入賞口８への入賞数と、アウト球数とを報知するようにしている。特に、アウト球数メータは、全てのメータの中で最もアウト口７に近接する位置に表示して、アウト球数を表していることが分かりやすいようにしている。
【０１１９】
従って、遊技者に対して各ラウンド遊技ごとの大入賞口８の入賞状況も分かりやすく報知することができ、遊技者はかかる１回のラウンド遊技に対する遊技情報を活用して、各ラウンド遊技の遊技結果がより望ましいものとなるように遊技に取り組むことができる。しかも、大当たり遊技状態の遊技状況に関してより多くの情報が遊技者に提供されることとなるので、遊技者はかかる多くの情報から現在の遊技状況を分析して、次回からの遊技に役立てることができる。
【０１２０】
なお、実行中のラウンド遊技のラウンド標識を表示する態様としては、図７に示すように、大入賞口８に近接する位置に継続可能な複数のラウンド遊技のラウンド標識を表示し、そのうち、実行中のラウンド遊技のラウンド標識を強調表示する態様をとることもできる。かかる表示態様とすれば、遊技者に対して、継続可能なラウンド遊技の回数のうち、何回目のラウンド遊技まで実行できているかを認知させることができ、遊技者のラウンド遊技を継続させようとする意欲を高めて、遊技に集中させることができる。
【０１２１】
（遊技機の動作）
以下に、パチンコ遊技機１０で実行される処理を図８〜図１０、図１２〜図２３に示す。また、パチンコ遊技機１０で実行される可変表示ゲーム制御処理（図１０）の状態遷移について図１１を用いて説明する。
【０１２２】
（メイン処理）
最初に、図８に示すように、ＲＡＭアクセス許可、バックアップ復帰処理、作業領域を初期化等の初期設定処理を実行する（ステップＳ１１）。そして、詳しくは図１０を用いて後述するが、可変表示ゲームの進行、液晶表示装置３２に表示される識別情報に関する可変表示ゲーム制御処理を実行する（ステップＳ１５）。このように、メイン処理においては、ステップＳ１１の初期設定処理が終了した後、ステップＳ１５の処理を繰り返し実行することとなる。
【０１２３】
（システムタイマ割込処理）
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。このシステムタイマ割込処理について図９を用いて説明する。
【０１２４】
最初に、図９に示すように、メインＣＰＵ６６は、大当たり判定用乱数カウンタ、大当たり図柄決定用乱数カウンタ等の各カウント値を“１”増加するように乱数更新処理を実行する（ステップＳ４２）。そして、詳しくは図１３を用いて後述するが、始動口６、球通過検出ゲート５５、一般入賞口５などの遊技球の入賞又は通過を検知する入力検出処理を実行する（ステップＳ４３）。この処理においては、メインＣＰＵ６６は、各種の入賞口に遊技球が入賞したことを条件として、遊技球を賞球として払い出す旨のデータをメインＲＡＭ７０の所定領域に記憶することとなる。そして、主制御回路６０と副制御回路２００との同期をとるための待ち時間タイマ、大当たりが発生した際に開放する大入賞口８の開放時間を計測するための大入賞口開放時間タイマ等、各種のタイマの更新処理を実行する（ステップＳ４４）。そして、各種の変数に基づいて駆動制御するための信号をソレノイド、モータ等に供給するために、出力処理を実行する（ステップＳ４６）。この処理が終了した場合には、ステップＳ４７に処理を移す。
【０１２５】
ステップＳ４７においては、コマンド出力処理を実行する。この処理において、メインＣＰＵ６６は、各種のコマンドを副制御回路２００に供給する。これらの各種のコマンドとしては、具体的には、デモ表示コマンド、左列、中列、右列に導出表示される識別情報の種類を示す図柄指定コマンド、識別情報の変動表示パターンを示す変動パターン指定コマンド、可変表示ゲームの保留数を示す始動記憶数指定コマンド、大当たり遊技状態への移行を予兆する大当たり予兆コマンド、始動口の開放を予兆する始動口開放予兆コマンド、大当たり遊技状態における遊技状況を示す第１〜第６大当たり遊技情報指定コマンド等が含まれる。この処理が終了した場合には、ステップＳ４９に処理を移す。
【０１２６】
なお、前記第１大当たり遊技情報指定コマンドは、現在実行中のラウンド遊技のラウンド数（ラウンド標識）を示すコマンドであり、前記第２大当たり遊技情報指定コマンドは、現在実行中のラウンド遊技における大入賞口８への入賞数を示すコマンドであり、前記第３大当たり遊技情報指定コマンドは、大当たり遊技状態における余剰入賞発生ラウンド数を示すコマンドであり、前記第４大当たり遊技情報指定コマンドは、大当たり遊技状態における全入賞数を示すコマンドであり、前記第５大当たり遊技情報指定コマンドは、現在実行中のラウンド遊技におけるアウト球数を示すコマンドであり、前記第６大当たり遊技情報指定コマンドは、現在実行中のラウンド遊技における大入賞口開放時間を示すコマンドである。
【０１２７】
そして、ステップＳ４９の処理において、メインＣＰＵ６６は、払出装置１２８に賞球払出を行わせるための賞球制御コマンドを払出・発射制御回路１２６へ送信する等の払出処理を実行する。この処理により、各種入賞口へ遊技球が入賞した場合には、予め設定された所定数の賞球が払出装置１２８から払い出される。また、この処理が終了した場合には、ステップＳ５０に処理を移す。
【０１２８】
ステップＳ５０においては、平均保留数算出処理を実行する。この処理において、メインＣＰＵ６６は、保留数を抽出すると共に、その保留数を示す保留数抽出データに基づき可変表示ゲームの平均保留数を算出し、その平均保留数を示す平均保留数データをメインＲＡＭ７０の所定領域に記憶することとなる。この処理が終了した場合には、本サブルーチンを終了し、割込発生前のアドレスへ復帰し、メイン処理を実行させる。
【０１２９】
（可変表示ゲーム制御処理）
図８のステップＳ１５において実行されるサブルーチンについて図１０を用いて説明する。なお、図１０において、ステップＳ７２からステップＳ８０の側方に示した数値は、それらのステップに対応する制御状態フラグを示し、その制御状態フラグの数値に応じて、その数値に対応する一つのステップが実行され、可変表示ゲームが進行することとなる。
【０１３０】
最初に、図１０に示すように、制御状態フラグをロードする処理を実行する（ステップＳ７１）。この処理において、メインＣＰＵ６６は、制御状態フラグを読み出す。この処理が終了した場合には、ステップＳ７２に処理を移す。
【０１３１】
なお、後述するステップＳ７２からステップＳ８０において、メインＣＰＵ６６は、後述するように、制御状態フラグの値に基づいて、各ステップにおける各種の処理を実行するか否かを判断することとなる。この制御状態フラグは、可変表示ゲームの遊技の状態を示すものであり、ステップＳ７２からステップＳ８０における処理のいずれかを実行可能にするものである。また、それに加えて、メインＣＰＵ６６は、各ステップに対して設定された待ち時間タイマ等に応じて決定される所定のタイミングで各ステップにおける処理を実行する。なお、この所定のタイミングに至る前においては、各ステップにおける処理を実行することなく終了することとなり、他のサブルーチンを実行することとなる。もちろん、所定の周期でシステムタイマ割込処理も実行する。
【０１３２】
ステップＳ７２においては、特別図柄記憶チェック処理を実行する。詳しくは図１２を用いて後述するが、メインＣＰＵ６６は、制御状態フラグが特別図柄記憶チェックを示す値（００）である場合に、保留数のチェックを行い、保留数がある場合に、大当たり判定、停止表示された導出識別情報、識別情報の変動パターン等の決定を行う。また、メインＣＰＵ６６は、特別図柄変動時間管理を示す値（０１）を制御状態フラグにセットし、今回の処理で決定された変動パターンに対応する変動時間を待ち時間タイマにセットする。つまり、今回決定された変動パターンに対応する変動時間を経過した後、ステップＳ７３の処理を実行するように設定するのである。一方、保留数がない場合には、デモ画面が表示される。この処理が終了した場合には、ステップＳ７３に処理を移す。
【０１３３】
ステップＳ７３においては、特別図柄変動時間管理処理を実行する。この処理においては、メインＣＰＵ６６は、制御状態フラグが特別図柄変動時間管理を示す値（０１）であり、変動時間が経過した場合に、特別図柄表示時間管理を示す値（０２）を制御状態フラグにセットし、確定後待ち時間（例えば１秒）を待ち時間タイマにセットする。つまり、確定後待ち時間が経過した後、ステップＳ７４の処理を実行するように設定するのである。この処理が終了した場合には、ステップＳ７４に処理を移す。
【０１３４】
ステップＳ７４においては、特別図柄表示時間管理処理を実行する。この処理においては、メインＣＰＵ６６は、制御状態フラグが特別図柄表示時間管理を示す値（０２）であり、確定後待ち時間が経過した場合に、大当たりか否かを判断する。メインＣＰＵ６６は、大当たりである場合に、大当たり開始インターバル管理を示す値（０３）を制御状態フラグにセットし、大当たり開始インターバルに対応する時間（例えば１０秒）を待ち時間タイマにセットする。つまり、大当たり開始インターバルに対応する時間が経過した後、ステップＳ７５の処理を実行するように設定するのである。従って、ステップＳ７４を実行するメインＣＰＵ６６は、液晶表示装置３２における識別情報の可変表示の結果が特定の識別情報の組合せとなったことを条件として遊技者に有利な大当たり遊技状態への制御を行うこととなる。一方、メインＣＰＵ６６は、大当たりではない場合に、可変表示ゲーム終了を示す値（０８）をセットする。つまり、ステップＳ８０の処理を実行するように設定するのである。この処理が終了した場合には、ステップＳ７５に処理を移す。
【０１３５】
ステップＳ７５においては、大当たり開始インターバル管理処理を実行する。この処理において、メインＣＰＵ６６は、制御状態フラグが大当たり開始インターバル管理を示す値（０３）であり、その大当たり開始インターバルに対応する時間が経過した場合に、大入賞口８を開放させるために、メインＲＯＭ６８から読み出されたデータに基づいて、メインＲＡＭ７０に位置付けられた変数を更新する。メインＣＰＵ６６は、大入賞口開放中を示す値（０４）を制御状態フラグにセットすると共に、開放上限時間（例えば３０秒）を大入賞口開放時間タイマにセットする。つまり、ステップＳ７７の処理を実行するように設定するのである。
【０１３６】
また、メインＣＰＵ６６は、前記大入賞口開放中を示す値（０４）のセットに基づき、大当たり遊技情報表示開始コマンドを示すデータをメインＲＡＭ７０の所定領域にセットする。しかも、前記大入賞口開放時間タイマが所定時間（例えば１秒）経過する度に、第６大当たり遊技情報指定コマンドを示すデータをメインＲＡＭ７０の所定領域にセットする処理を実行する。このようにセットされた大当たり遊技情報表示開始コマンドを示すデータ、及び第６大当たり遊技情報指定コマンドを示すデータは、図９のステップＳ４７の処理により、主制御回路６０のメインＣＰＵ６６から副制御回路２００のサブＣＰＵ２０６に大当たり遊技情報表示開始コマンド、及び第６大当たり遊技情報指定コマンドとして供給される。副制御回路２００のサブＣＰＵ２０６は、後述するように、受信した大当たり遊技情報表示開始コマンド、及び第６大当たり遊技情報指定コマンドに応じて、大当たり遊技状態の遊技状況に関する演出、報知を実行することとなる。この処理が終了した場合には、ステップＳ７６に処理を移す。
【０１３７】
ステップＳ７６においては、大入賞口再開放前待ち時間管理処理を実行する。この処理において、メインＣＰＵ６６は、制御状態フラグが大入賞口再開放待ち時間管理を示す値（０６）であり、ラウンド間インターバルに対応する時間が経過した場合に、大入賞口開放中を示す値（０４）を制御状態フラグにセットする。しかも、メインＣＰＵ６６は、開放上限時間（例えば３０秒）を大入賞口開放時間タイマにセットする。つまり、ステップＳ７７の処理を実行するように設定するのである。そして、前記ステップＳ７５での処理と同様、前記大入賞口開放時間タイマが所定時間（例えば１秒）経過する度に、第６大当たり遊技情報指定コマンドを示すデータをメインＲＡＭ７０の所定領域にセットする処理を実行し、このようにセットされた第６大当たり遊技情報指定コマンドを示すデータは、図９のステップＳ４７の処理により、主制御回路６０のメインＣＰＵ６６から副制御回路２００のサブＣＰＵ２０６に第６大当たり遊技情報指定コマンドとして供給される。
【０１３８】
さらにメインＣＰＵ６６は、大入賞口入賞カウンタ及びアウト球カウンタを含む各ラウンド遊技での入賞状況に関連する各種カウンタの値をクリアする処理（少なくとも大入賞口入賞カウンタ及びアウト球カウンタの値を“０”にクリアする処理）を実行する。この処理が終了した場合には、ステップＳ７７に処理を移す。
【０１３９】
ステップＳ７７においては、大入賞口開放中処理を実行する。この処理において、メインＣＰＵ６６は、制御状態フラグが大入賞口開放中を示す値（０４）である場合に、大入賞口入賞カウンタが“１０”以上であるという条件、開放上限時間を経過した（大入賞口開放時間タイマが“０”である）という条件のいずれかを満たすか否かを判断する。メインＣＰＵ６６は、いずれかの条件を満たした場合に、大入賞口８を閉鎖させるために、メインＲＡＭ７０に位置付けられた変数を更新する。メインＣＰＵ６６は、大入賞口内残留球監視を示す値（０５）を制御状態フラグにセットする。メインＣＰＵ６６は、大入賞口内残留球監視時間（例えば１秒）を待ち時間タイマにセットする。つまり、大入賞口内残留球監視時間が経過した後、ステップＳ７８の処理を実行するように設定するのである。なお、メインＣＰＵ６６は、いずれの条件も満たさない場合には、上述した処理を実行しない。この処理が終了した場合には、ステップＳ７８に処理を移す。
【０１４０】
ステップＳ７８においては、大入賞口内残留球監視処理を実行する。この処理においては、メインＣＰＵ６６は、制御状態フラグが大入賞口内残留球監視を示す値（０５）であり、大入賞口内残留球監視時間が経過した場合に、大入賞口８における特定領域を遊技球が通過しなかったという条件、大入賞口開放回数カウンタが“１５”以上である（最終ラウンドである）という条件のいずれかを満たすか否かを判断する。メインＣＰＵ６６は、いずれかの条件を満たした場合に、大当たり終了インターバルを示す値（０７）を制御状態フラグにセットし、大当たり終了インターバルに対応する時間を待ち時間タイマにセットする。つまり、大当たり終了インターバルに対応する時間が経過した後、ステップＳ７９の処理を実行するように設定するのである。一方、メインＣＰＵ６６は、いずれの条件も満たさない場合に、大入賞口再開放待ち時間管理を示す値（０６）を制御状態フラグにセットする。また、メインＣＰＵ６６は、ラウンド間インターバルに対応する時間を待ち時間タイマにセットする。つまり、ラウンド間インターバルに対応する時間が経過した後、ステップＳ７６の処理を実行するように設定するのである。この処理が終了した場合には、ステップＳ７９に処理を移す。
【０１４１】
ステップＳ７９においては、大当たり終了インターバル処理を実行する。この処理においては、メインＣＰＵ６６は、制御状態フラグが大当たり終了インターバルを示す値（０７）であり、大当たり終了インターバルに対応する時間が経過した場合に、可変表示ゲーム終了を示す値（０８）を制御状態フラグにセットする。つまり、ステップＳ８０の処理を実行するように設定するのである。
【０１４２】
また、前記可変表示ゲーム終了を示す値（０８）のセットに基づき、メインＣＰＵ６６は、大当たり遊技情報表示終了コマンドを示すデータをメインＲＡＭ７０の所定領域にセットする。このようにセットされた大当たり遊技情報表示終了コマンドを示すデータは、図９のステップＳ４７の処理により、主制御回路６０のメインＣＰＵ６６から副制御回路２００のサブＣＰＵ２０６に大当たり遊技情報表示終了コマンドとして供給される。副制御回路２００のサブＣＰＵ２０６は、後述するように、受信した大当たり遊技情報表示終了コマンドに応じて、大当たり遊技状態の遊技状況に関する演出、報知を終了することとなる。
【０１４３】
さらに、メインＣＰＵ６６は、大入賞口開放回数カウンタ、大入賞口入賞カウンタ、余剰入賞発生ラウンドカウンタ、入賞口入賞カウンタ、及びアウト球カウンタを含む大当たり遊技状態での遊技状況に関連する各種カウンタの値をクリアする処理（少なくとも大入賞口開放回数カウンタは“１”に、他のカウンタは“０”にクリアする処理）を実行する。この処理が終了した場合には、ステップＳ８０に処理を移す。
【０１４４】
ステップＳ８０においては、可変表示ゲーム終了処理を実行する。この処理においては、メインＣＰＵ６６は、制御状態フラグが可変表示ゲーム終了を示す値（０８）である場合に、保留数を示すデータを“１”減少するように記憶更新する。そして、メインＣＰＵ６６は、始動記憶数指定コマンドを示すデータを、メインＲＡＭ７０の所定領域に記憶する。このように記憶された始動記憶数指定コマンドを示すデータは、図９のステップＳ４７の処理により、主制御回路６０のメインＣＰＵ６６から副制御回路２００のサブＣＰＵ２０６に始動記憶数指定コマンドとして供給される。詳しくは後述するが、副制御回路２００のサブＣＰＵ２０６は、受信した始動記憶数表示コマンドに応じた演出を実行することとなる。また、メインＣＰＵ６６は、次回の変動表示を行うために、特別図柄記憶領域の更新を行う。メインＣＰＵ６６は、特別図柄記憶チェックを示す値（００）をセットする。つまり、ステップＳ７２の処理を実行するように設定するのである。この処理が終了した場合には、本サブルーチンを終了する。
【０１４５】
上述したように、制御状態フラグをセットすることにより、可変表示ゲームが実行されることとなる。具体的には、メインＣＰＵ６６は、図１１に示すように、大当たり遊技状態ではない場合において、大当たり判定の結果がはずれであるときには、制御状態フラグを“００”、“０１”、“０２”、“０８”と順にセットすることにより、図１０に示すステップＳ７２、ステップＳ７３、ステップＳ７４、ステップＳ８０の処理を所定のタイミングで実行することとなる。また、メインＣＰＵ６６は、大当たり遊技状態ではない場合において、大当たり判定の結果が大当たりであるときには、制御状態フラグを“００”、“０１”、“０２”、“０３”と順にセットすることにより、図１０に示すステップＳ７２、ステップＳ７３、ステップＳ７４、ステップＳ７５の処理を所定のタイミングで実行し、大当たり遊技状態への制御を実行することとなる。更には、メインＣＰＵ６６は、大当たり遊技状態への制御が実行された場合には、制御状態フラグを“０４”、“０５”、“０６”と順にセットすることにより、図１０に示すステップＳ７７、ステップＳ７８、ステップＳ７６の処理を所定のタイミングで実行し、特定遊技を実行することとなる。なお、特定遊技が実行されている場合において、大当たり遊技状態の終了条件（大当たり遊技終了条件）が成立した場合には、“０４”、“０５”、“０７”、“０８”と順にセットすることにより、図１０に示すステップＳ７７からステップＳ８０の処理を所定のタイミングで実行し、大当たり遊技状態を終了することとなる。なお、この特定遊技終了条件には、所定の時間が経過するまでに特定領域への遊技球の通過がなかったこと（所謂「パンク」）、又は、ラウンド遊技最大継続数（本実施形態においては１５ラウンド）が終了したことを条件として大当たり遊技状態を終了することとなる。
【０１４６】
（特別図柄記憶チェック処理）
図１０のステップＳ７２において実行されるサブルーチンについて、図１２を用いて説明する。
【０１４７】
最初に、図１２に示すように、制御状態フラグが特別図柄記憶チェックを示す値（００）であるか否かの判断を行い（ステップＳ１０１）、制御状態フラグが特別図柄記憶チェックを示す値であると判別した場合には、ステップＳ１０２に処理を移し、制御状態フラグが特別図柄記憶チェックを示す値であるとは判別しなかった場合には、本サブルーチンを終了する。そして、ステップＳ１０２においては、保留数が“０”であるか否かの判断を行い、保留数を示すデータが“０”であると判別した場合には、ステップＳ１０３に処理を移し、保留数を示すデータが“０”であるとは判別しなかった場合には、ステップＳ１０４に処理を移す。
【０１４８】
ステップＳ１０３においては、デモ表示処理を実行する。この処理において、メインＣＰＵ６６は、デモ表示を行わせるために副制御回路２００にデモ表示コマンドを供給するための変数をメインＲＡＭ７０に記憶する。これによって、副制御回路２００において、デモ画面の表示が実行されることとなる。この処理が終了した場合には、本サブルーチンを終了する。
【０１４９】
ステップＳ１０４においては、制御状態フラグとして特別図柄変動時間管理を示す値（０１）をセットする処理を実行する。この処理において、メインＣＰＵ６６は、特別図柄変動時間管理を示す値を制御状態フラグに記憶する。この処理が終了した場合には、ステップＳ１０５に処理を移す。
【０１５０】
ステップＳ１０５においては、大当たり判断処理を実行する。この処理において、メインＣＰＵ６６は、始動入賞時に抽出された大当たり判定用乱数値と、メインＲＯＭ６８の所定領域に記憶された大当たり判定テーブルとを参照する。つまり、メインＣＰＵ６６は、遊技者に有利な大当たり遊技状態とするか否かの判定を行うこととなる。この処理が終了した場合には、ステップＳ１０６に処理を移す。
【０１５１】
ステップＳ１０６においては、大当たりであるか否かの判断を行う。この処理において、メインＣＰＵ６６は、ステップＳ１０５の参照の結果に基づいて、大当たりであるか否かを判断することとなる。メインＣＰＵ６６は、大当たりであると判別した場合には、ステップＳ１０７に処理を移し、大当たりであるとは判別しなかった場合には、ステップＳ１０８に処理を移す。
【０１５２】
ステップＳ１０７においては、大当たり図柄の決定処理を実行する。この処理において、メインＣＰＵ６６は、始動入賞時に抽出された大当たり図柄用乱数値を抽出し、その大当たり図柄用乱数値に基づいて、左列、中列、右列に対応する識別情報を決定し、その識別情報を示すデータをメインＲＡＭ７０の所定領域に記憶する。このように記憶された左列、中列、右列に対応する識別情報を示すデータは、図９のステップＳ４７の処理により、主制御回路６０のメインＣＰＵ６６から副制御回路２００のサブＣＰＵ２０６に停止させる識別情報の図柄指定コマンドとして供給される。この処理が終了した場合には、ステップＳ１０９に処理を移す。
【０１５３】
ステップＳ１０８においては、はずれ図柄の決定処理を実行する。この処理において、メインＣＰＵ６６は、はずれ図柄決定用乱数カウンタからはずれ図柄決定用乱数値を抽出し、そのはずれ図柄決定用乱数値に基づいて左列、中列、右列に対応する識別情報を決定し、その識別情報を示すデータをメインＲＡＭ７０の所定領域に記憶する。このように記憶された左列、中列、右列に対応する識別情報を示すデータは、図９のステップＳ４７の処理により、主制御回路６０のメインＣＰＵ６６から副制御回路２００のサブＣＰＵ２０６に停止させる識別情報の図柄指定コマンドとして供給される。このような処理が実行されることによって、つまり、識別情報の可変表示の結果を決定することとなる。
【０１５４】
なお、メインＣＰＵ６６は、左列と右列とが同じ識別情報となり、更には、左列と中列とが同じ識別情報となる場合には、中列の識別情報を、所定のコマ数（例えば３コマ）だけ補正するように決定し、大当たりにならないように制御している。つまり、本ステップにより、識別情報の可変表示の結果が、その識別情報の可変表示の結果が導出表示される以前に決定されるのである。この処理が終了した場合には、ステップＳ１０９に処理を移す。
【０１５５】
なお、メインＣＰＵ６６は、ステップＳ１０７又はステップＳ１０８を実行することによって、停止表示させる識別情報を決定するため、識別情報の可変表示がリーチとなるか否かを決定することとなる。つまり、本実施形態におけるステップＳ１０７又はステップＳ１０８を実行するメインＣＰＵ６６は、識別情報の可変表示がリーチとなるか否かを決定するリーチ決定手段に相当する。
【０１５６】
ステップＳ１０９においては、変動パターン決定処理を実行する。この処理において、メインＣＰＵ６６は、演出条件選択用乱数値を抽出する。メインＣＰＵ６６は、ステップＳ１０７及びステップＳ１０８により決定された左列、中列、右列の識別情報に基づいて、変動パターンを決定するための変動パターン振分テーブルを選択する。そして、メインＣＰＵ６６は、演出条件選択用乱数カウンタから抽出した演出条件選択用乱数値と選択した変動パターン振分テーブルとに基づいて、変動パターンを決定し、メインＲＡＭ７０の所定領域に記憶する。このように記憶された変動パターンを示すデータは、図９のステップＳ４７の処理により、主制御回路６０のメインＣＰＵ６６から副制御回路２００のサブＣＰＵ２０６に変動パターン指定コマンドとして供給される。副制御回路２００のサブＣＰＵ２０６は、受信した変動パターン指定コマンドに応じた演出表示を実行することとなる。この処理が終了した場合には、ステップＳ１１０に処理を移す。
【０１５７】
ステップＳ１１０においては、決定した変動パターンに対応する変動時間を待ち時間タイマにセットする処理を実行する。この処理において、メインＣＰＵ６６は、ステップＳ１０９の処理により決定された変動パターンと、その変動パターンの変動演出時間を示す変動演出時間テーブルとに基づいて、変動演出時間を算出し、その変動演出時間を示す値を待ち時間タイマに記憶する。そして、今回の変動表示に用いられた記憶領域をクリアする処理を実行する（ステップＳ１１１）。この処理が終了した場合には、本サブルーチンを終了する。
【０１５８】
（入力検出処理）
図９のステップＳ４３において実行されるサブルーチンについて図１３を用いて説明する。
【０１５９】
最初に、図１３に示すように、メインＣＰＵ６６は、賞球関連スイッチチェック処理を実行する（ステップＳ２３１）。この処理において、メインＣＰＵ６６は、賞球に関連するスイッチであるＶカウントセンサ１０２、カウントセンサ１０４、一般入賞球センサ１０６、始動入賞球センサ１１６などの各種のセンサより、所定の検知信号が供給されているかを検出する。そして、これら所定の信号の検出処理を行ったメインＣＰＵ６６は、信号を供給したセンサに応じて、賞球の数を決定し、メインＲＡＭ７０に記憶する。この処理が終了した場合には、ステップＳ２３２に処理を移す。
【０１６０】
ステップＳ２３２においては、特別図柄関連スイッチ入力処理を実行する。詳しくは図１４を用いて後述するが、特別図柄としての識別情報に関連するＶカウントセンサ１０２、カウントセンサ１０４、始動入賞球センサ１１６、一般入賞球センサ１０６、及びアウト球センサ１１２より所定の信号が供給されているかを検出する。これら所定の信号の検出処理を行ったメインＣＰＵ６６は、後述するような処理を実行する。この処理が終了した場合には、ステップＳ２３３に処理を移す。
【０１６１】
ステップＳ２３３においては、普通図柄関連スイッチ入力処理を実行する。この処理において、通過球センサ１１４は、所定の検知信号をメインＣＰＵ６６に供給する。これら所定の信号を受け取ったメインＣＰＵ６６は、普通図柄９４の始動記憶等の処理を行う。この処理が終了した場合には、本サブルーチンを終了する。
（特別図柄関連スイッチ入力処理）
図１３のステップＳ２３２において実行されるサブルーチンについて図１４を用いて説明する。
【０１６２】
最初に、図１４に示すように、カウントスイッチ入力があるか否かの判断を行う（ステップＳ２６１）。この処理において、メインＣＰＵ６６は、カウントセンサ１０４から供給される所定の信号に応じて、カウントスイッチ入力があると判別した場合には、大入賞口入賞カウンタを“１”増加させるように記憶更新すると共に、第２大当たり遊技情報指定コマンドを示すデータをメインＲＡＭ７０の所定領域にセットするカウントスイッチ検出時処理を実行する（ステップＳ２６２）。
【０１６３】
また、このカウントスイッチ検出時処理では、メインＣＰＵ６６は、大入賞口入賞カウンタにより計測された大入賞口８への入賞数が、予め設定された上限数（例えば１０個）を越えたと判別した場合には、余剰入賞発生ラウンドカウンタを“１”増加させるように記憶更新すると共に、第３大当たり遊技情報指定コマンドを示すデータをメインＲＡＭ７０の所定領域にセットする処理を実行する。
【０１６４】
前記第２及び第３大当たり遊技情報指定コマンドを示すデータは、図９のステップＳ４７の処理により、主制御回路６０のメインＣＰＵ６６から副制御回路２００のサブＣＰＵ２０６に第２及び第３大当たり遊技情報指定コマンドとして供給される。副制御回路２００のサブＣＰＵ２０６は、後述するように、受信した第２及び第３大当たり遊技情報指定コマンドに応じて、大当たり遊技状態の遊技状況に関する演出、報知を実行することとなる。一方、メインＣＰＵ６６は、カウントスイッチ入力があると判別しなかった場合には、ステップＳ２６３に処理を移す。
【０１６５】
ステップＳ２６３においては、Ｖカウントスイッチ入力があるか否かの判断を行う。この処理において、メインＣＰＵ６６は、Ｖカウントセンサ１０２から供給される所定の信号に応じて、Ｖカウントスイッチ入力があると判別した場合には、特定領域を通過した旨のフラグを成立させて、大入賞口開放回数カウンタを“１”増加させるように記憶更新すると共に、第１大当たり遊技情報指定コマンドを示すデータをメインＲＡＭ７０の所定領域にセットするＶカウントスイッチ検出時処理を実行する（ステップＳ２６４）。
【０１６６】
また、このＶカウントスイッチ検出時処理では、メインＣＰＵ６６は、Ｖカウントセンサ１０２から供給される所定の信号に応じて、Ｖカウントスイッチ入力があると判別した場合には、大入賞口入賞カウンタを“１”増加させるように記憶更新すると共に、第２大当たり遊技情報指定コマンドを示すデータをメインＲＡＭ７０の所定領域にセットする処理を実行する。
【０１６７】
さらに、このＶカウントスイッチ検出時処理では、メインＣＰＵ６６は、大入賞口入賞カウンタにより計測された大入賞口８への入賞数が、予め設定された上限数（例えば１０個）を越えたと判別した場合には、余剰入賞発生ラウンドカウンタを“１”増加させるように記憶更新すると共に、第３大当たり遊技情報指定コマンドを示すデータをメインＲＡＭ７０の所定領域にセットする処理を実行する。
【０１６８】
前記第１、第２及び第３大当たり遊技情報指定コマンドを示すデータは、図９のステップＳ４７の処理により、主制御回路６０のメインＣＰＵ６６から副制御回路２００のサブＣＰＵ２０６に第１、第２及び第３大当たり遊技情報指定コマンドとして供給される。副制御回路２００のサブＣＰＵ２０６は、後述するように、受信した第１、第２及び第３大当たり遊技情報指定コマンドに応じて、大当たり遊技状態の遊技状況に関する演出、報知を実行することとなる。一方、メインＣＰＵ６６は、Ｖカウントスイッチ入力があると判別しなかった場合には、ステップＳ２６５に処理を移す。
【０１６９】
ステップＳ２６５においては、始動口スイッチ入力があるか否かの判断を行う。この処理において、メインＣＰＵ６６は、始動入賞球センサ１１６から供給される所定の信号を受け取ることにより、始動口スイッチ入力があるか否かを判断することとなる。メインＣＰＵ６６は、始動口スイッチ入力があると判別した場合には、ステップＳ２６６に処理を移し、始動口スイッチ入力があると判別しなかった場合には、本サブルーチンを終了する。
【０１７０】
ステップＳ２６６においては、始動口検出時処理を実行し、この処理が終了した場合には、本サブルーチンを終了する。詳しくは図１５を用いて説明するが、メインＣＰＵ６６は、保留数を示すデータが“４”より小さいと判別した場合には、大当たり判定用乱数値、大当たり図柄用乱数値を抽出し、メインＲＡＭ７０の所定領域に記憶する。また、メインＣＰＵ６６は、大当たり予兆実行抽選を行い、メインＲＡＭ７０の所定領域に各種のコマンドをセットする。この処理が終了した場合には、ステップＳ２６７に処理を移す。
【０１７１】
ステップＳ２６７においては、入賞口スイッチ入力があるか否かの判断を行う。この処理において、メインＣＰＵ６６は、カウントセンサ１０４、Ｖカウントセンサ１０２、始動入賞球センサ１１６、一般入賞球センサ１０６から供給される所定の信号に応じて、入賞口スイッチ入力があると判別した場合には、入賞口入賞カウンタを“１”増加させるように記憶更新すると共に、第４大当たり遊技情報指定コマンドを示すデータをメインＲＡＭ７０の所定領域にセットする入賞口スイッチ検出時処理を実行する（ステップＳ２６８）。
【０１７２】
前記第４大当たり遊技情報指定コマンドを示すデータは、図９のステップＳ４７の処理により、主制御回路６０のメインＣＰＵ６６から副制御回路２００のサブＣＰＵ２０６に第４大当たり遊技情報指定コマンドとして供給される。副制御回路２００のサブＣＰＵ２０６は、後述するように、受信した第４大当たり遊技情報指定コマンドに応じて、大当たり遊技状態の遊技状況に関する演出、報知を実行することとなる。一方、メインＣＰＵ６６は、入賞口スイッチ入力があると判別しなかった場合には、ステップＳ２６９に処理を移す。
【０１７３】
ステップＳ２６９においては、アウト球スイッチ入力があるか否かの判断を行う。この処理において、メインＣＰＵ６６は、アウト球センサ１１２から供給される所定の信号に応じて、アウト球スイッチ入力があると判別した場合には、アウト球カウンタを“１”増加させるように記憶更新すると共に、第５大当たり遊技情報指定コマンドを示すデータをメインＲＡＭ７０の所定領域にセットするアウト球スイッチ検出時処理を実行する（ステップＳ２７０）。一方、メインＣＰＵ６６は、アウト球スイッチ入力があると判別しなかった場合には、本サブルーチンを終了する。
【０１７４】
（始動口検出時処理）
図１４のステップＳ２６６において実行されるサブルーチンについて図１５を用いて説明する。
【０１７５】
最初に、図１５に示すように、メインＣＰＵ６６は、始動記憶数カウンタから始動記憶数（所謂、上述した「保留数を示すデータ」）を読み出し、始動記憶数が“４”以上であるか否かの判断を行う（ステップＳ５０１）。この処理において、メインＣＰＵ６６は、始動記憶数が“４”以上であると判別した場合には、本サブルーチンを終了する。つまり、保留数が上限数に至っている場合には、始動口６に遊技球が入賞したが、始動記憶情報の記憶を行うことなく、本サブルーチンを終了することとなる。一方、メインＣＰＵ６６は、始動記憶数が“４”より小さいと判別した場合には、始動記憶数カウンタを“１”増加させ（ステップＳ５０２）、ステップＳ５０３に処理を移す。
【０１７６】
ステップＳ５０３においては、メインＣＰＵ６６は、大当たり判定用乱数カウンタから大当たり判定用乱数値を抽出し、大当たり図柄決定用乱数カウンタから大当たり図柄用乱数値を抽出する。そして、メインＣＰＵ６６は、抽出した大当たり判定用乱数値、大当たり図柄用乱数値をメインＲＡＭ７０の所定領域に始動記憶情報として記憶する（ステップＳ５０４）。このように記憶された大当たり判定用乱数値、大当たり図柄用乱数値を示すデータは、図１２のステップＳ１０５などの処理においてメインＣＰＵ６６により読み出され、大当たりであるか否かが判断され、導出表示させる識別情報の種類が決定されることとなる。このように、メインＣＰＵ６６は、遊技球が始動口６に入球したが、所定の可変表示保留条件が成立した場合に、その識別情報の可変表示が実行できる所定の可変表示開始条件が成立するまで、その識別情報の可変表示の結果を決定するための始動記憶情報を、所定数を上限として記憶することとなる。この処理が終了した場合には、ステップＳ５０５に処理を移す。
【０１７７】
ステップＳ５０５において、メインＣＰＵ６６は、抽出した大当たり判定用乱数値を大当たり判定値と比較する処理を実行する。そして、メインＣＰＵ６６は、大当たり判定用乱数値が大当たり判定値と同じであるか否かの判断を行う（ステップＳ５０６）。この処理において、メインＣＰＵ６６は、大当たり判定用乱数値が大当たり判定値と同じであると判別した場合には、ステップＳ５０８に処理を移す。この処理において、メインＣＰＵ６６は、大当たり判定用乱数値が大当たり判定値と同じでないと判別した場合には、ステップＳ５０７に処理を移す。このように、ステップＳ５０５、５０６を実行するメインＣＰＵ６６は、ステップＳ５０４において記憶された始動記憶情報が、識別情報の可変表示の結果が特定の識別情報の組合せとなる旨の特定始動記憶情報であるか否かを判定することとなる。
【０１７８】
ステップＳ５０７において、メインＣＰＵ６６は、予兆用乱数カウンタから予兆用乱数値を抽出し、大当たり予兆実行抽選に当選したか否かを決定する。メインＣＰＵ６６は、抽出した予兆用乱数値が“０”以下である場合には、大当たり予兆実行抽選に当選したと決定する。一方、メインＣＰＵ６６は、抽出した予兆用乱数値が“１”以上である場合には、大当たり予兆実行抽選に当選しなかったと決定する。なお、この予兆用乱数カウンタは、“０”から“１９９”の整数として更新されるものである。このため、ステップＳ５０７における大当たり予兆実行抽選に当選する確率は、“１／２００”となる。この処理が終了した場合には、ステップＳ５０９に処理を移す。
【０１７９】
一方、ステップＳ５０８において、メインＣＰＵ６６は、予兆用乱数カウンタから予兆用乱数値を抽出し、大当たり予兆実行抽選に当選したか否かを決定する。メインＣＰＵ６６は、抽出した予兆用乱数値が“９９”以下である場合には、予兆実行抽選に当選したと決定する。一方、メインＣＰＵ６６は、抽出した予兆用乱数値が“１００”以上である場合には、大当たり予兆実行抽選に当選しなかったと決定する。なお、この予兆用乱数カウンタは、上述したように、“０”から“１９９”の整数として更新されるため、ステップＳ５０８における大当たり予兆実行抽選に当選する確率は、“１／２”となる。この処理が終了した場合には、ステップＳ５０９に処理を移す。
【０１８０】
ステップＳ５０９において、メインＣＰＵ６６は、大当たり予兆実行抽選に当選したか否かを判断する。この処理において、メインＣＰＵ６６は、ステップＳ５０７又はステップＳ５０８における大当たり予兆実行抽選の抽選結果に基づいて、大当たり予兆実行抽選に当選したか否かを判断することとなる。メインＣＰＵ６６は、大当たり予兆実行抽選に当選したと判別した場合には、ステップＳ５１１に処理を移す。一方、メインＣＰＵ６６は、大当たり予兆実行抽選に当選しなかったと判別した場合には、ステップＳ５１０に処理を移す。
【０１８１】
ステップＳ５１０において、メインＣＰＵ６６は、始動記憶数を示すデータ及び平均保留数データを読み出し、そのデータに基づく始動記憶数指定コマンドを示すデータをメインＲＡＭ７０の所定領域にセットする。このようにセットされた始動記憶数指定コマンドを示すデータは、図９のステップＳ４７の処理により、主制御回路６０のメインＣＰＵ６６から副制御回路２００のサブＣＰＵ２０６に始動記憶数指定コマンドとして供給される。副制御回路２００のサブＣＰＵ２０６は、後述するように、受信した始動記憶数指定コマンドに応じて、平均保留数を含む始動記憶数に関する演出、報知を実行することとなる。また、この始動記憶数指定コマンドには、ステップＳ５０３によって抽出された大当たり判定用乱数値、大当たり図柄用乱数値に基づくデータ（例えば、大当たり遊技状態に移行させる乱数値であるか否か、識別情報の可変表示の結果、リーチとなるか否かなど）が含まれており、主制御回路６０から副制御回路２００に始動記憶数指定コマンドを供給することによって、副制御回路２００（サブＣＰＵ２０６）は、例えば、大当たり遊技状態に移行させる乱数値であるか否か、識別情報の可変表示の結果、リーチとなるか否かなどを認識可能となる。この処理が終了した場合には、本サブルーチンを終了する。
【０１８２】
ステップＳ５１１において、メインＣＰＵ６６は、ステップＳ５１０と同じように、始動記憶数を示すデータ及び平均保留数データを読み出し、そのデータに基づく始動記憶数指定コマンドを示すデータをメインＲＡＭ７０の所定領域にセットする。これによって、後述するように、受信した始動記憶数指定コマンドに応じて、平均保留数を含む始動記憶数に関する演出、報知を実行することとなる。また、メインＣＰＵ６６は、メインＲＡＭ７０の所定領域に大当たり予兆コマンドを示すデータをセットする。このようにセットされた大当たり予兆コマンドを示すデータは、図９のステップＳ４７の処理により、主制御回路６０のメインＣＰＵ６６から副制御回路２００のサブＣＰＵ２０６に大当たり予兆コマンドとして供給される。この処理が終了した場合には、本サブルーチンを終了する。
【０１８３】
（普通図柄関連スイッチ入力処理）
図１３のステップＳ２３３において実行されるサブルーチンについて図１６を用いて説明する。
【０１８４】
最初に、図１６に示すように、通過球スイッチ入力があるか否かの判断を行う（ステップＳ２８１）。この処理において、メインＣＰＵ６６は、通過球センサ１１４から供給される所定の信号に応じて通過球スイッチ入力があると判別した場合、通過球スイッチ検出時処理を実行する（ステップＳ２８２）。
【０１８５】
この通過球スイッチ検出時処理において、メインＣＰＵ６６は、図１５に示す始動口検出時処理の場合と同様、所定の上限数（例えば“４”）まで球通過記憶数カウンタを“１”増加させるように記憶更新する処理を実行する。そして、普通図柄ゲームを「当たり」とするか否かの内部抽選処理を行い、その抽選結果、「当たり」となった場合には、メインＲＡＭ７０の所定領域に始動口開放予兆コマンドを示すデータをセットする。このようにセットされた始動口開放予兆コマンドを示すデータは、図９のステップＳ４７の処理により、主制御回路６０のメインＣＰＵ６６から副制御回路２００のサブＣＰＵ２０６に始動口開放予兆コマンドとして供給される。この処理が終了した場合、及び前記ステップＳ２８１の処理で通過球スイッチ入力があると判別しなかった場合には、本サブルーチンを終了する。
【０１８６】
（平均保留数算出処理）
図９のステップＳ５０において実行されるサブルーチンについて図１７を用いて説明する。
【０１８７】
最初に、図１７に示すように、メインＣＰＵ６６は、可変表示ゲームの保留数を抽出するタイミングであるか否かの判断を行う（ステップＳ５２１）。この処理において、メインＣＰＵ６６は、保留数抽出タイマから供給される所定の信号に基づき、前回の保留数の抽出から所定時間が経過して保留数抽出タイミングとなったか否かを判断する。そして、保留数抽出タイミングとなったと判別した場合には、ステップＳ５２２の処理に移す一方、保留数抽出タイミングとなっていないと判別した場合には、本サブルーチンを終了する。
【０１８８】
ステップＳ５２２において、メインＣＰＵ６６は、保留数抽出処理を実行する。この保留数抽出処理において、メインＣＰＵ６６は、メインＲＡＭ７０の始動記憶数カウンタが示す保留数の値を抽出し、その抽出した値を保留数抽出データとしてメインＲＡＭ７０の所定領域にセットする。このステップＳ５２２の処理が終了した場合、ステップＳ５２３の処理に移す。
【０１８９】
ステップＳ５２３において、メインＣＰＵ６６は、メインＲＡＭ７０に保留数抽出データが所定数（例えば６個）累積されたか否かを判断する。そして、所定数累積されたと判別した場合には、後述するステップＳ５２４の処理において、平均保留数更新処理を実行する一方、所定数累積されていないと判別した場合には、本サブルーチンを終了する。なお、本実施形態では、保留数抽出データが所定数累積される度に前記平均保留数更新処理を実行するようにしており、ステップＳ５２２において、メインＣＰＵ６６は、前回の平均保留数更新処理後にメインＲＡＭ７０にセットされた保留数抽選データの数が所定数に達したか否かを判断することとなる。
【０１９０】
ステップＳ５２４において、メインＣＰＵ６６は、平均保留数更新処理を実行する。この平均保留数更新処理において、メインＣＰＵ６６は、メインＲＡＭ７０にセットされた各保留数抽選データが示している保留数に基づき、平均保留数を算出する。そして、その平均保留数を示す平均保留数データをメインＲＡＭ７０の所定領域にセットする。この処理が終了した場合には、本サブルーチンを終了する。
【０１９１】
（副制御回路の動作）
一方、副制御回路２００では、主制御回路６０から送信される各種のコマンドを受信し、図１８に示すようなコマンド受信処理を実行することとなる。
【０１９２】
（コマンド受信処理）
最初に、図１８に示すように、始動記憶数指定コマンドを受信したか否かを判断する（ステップＳ３４１）。この処理において、サブＣＰＵ２０６は、主制御回路６０から始動記憶数指定コマンドを受信したと判別した場合には、ステップＳ３４２に処理を移す。一方、サブＣＰＵ２０６は、主制御回路６０から始動記憶数指定コマンドを受信しなかったと判別した場合には、ステップＳ３４３に処理を移す。
【０１９３】
ステップＳ３４２において、サブＣＰＵ２０６は、保留数更新処理を実行する。この処理において、サブＣＰＵ２０６は、始動記憶情報と、更新前の始動記憶数を示すデータと、更新後の始動記憶数を示すデータとを、ワークＲＡＭ２１０の所定領域にセットする。そして、サブＣＰＵ２０６は、主制御回路６０から受信した始動記憶数指定コマンドに基づいて始動記憶数を決定し、ワークＲＡＭ２１０の所定領域に位置付けられた始動記憶数を示すデータを更新する。同様に、サブＣＰＵ２０６は、平均保留数データも更新する。なお、この処理においては、保留数の増減に関わらず、更新を行うこととなる。この処理が終了した場合には、本サブルーチンを終了する。
【０１９４】
一方、ステップＳ３４３において、サブＣＰＵ２０６は、変動パターン指定コマンドを受信したか否かを判断する。この処理において、サブＣＰＵ２０６は、主制御回路６０から変動パターン指定コマンドを受信したと判別した場合には、ステップＳ３４４に処理を移す。一方、サブＣＰＵ２０６は、主制御回路６０から変動パターン指定コマンドを受信しなかったと判別した場合には、ステップＳ３４６に処理を移す。
【０１９５】
ステップＳ３４４において、サブＣＰＵ２０６は、リーチ判定処理を実行する。この処理において、サブＣＰＵ２０６は、変動パターンに基づいて、リーチとなる変動パターンであるか否かを判定する。この処理が終了した場合にはステップＳ３４５に処理を移す。
【０１９６】
ステップＳ３４５において、サブＣＰＵ２０６は、変動パターン、リーチ判定結果、演出決定テーブルを参照し、演出パターンを選択する。この処理において、サブＣＰＵ２０６は、主制御回路６０から供給された変動パターン指定コマンドに含まれる変動パターンと、ステップＳ３４４においてリーチとなるか否かを判定した判定結果と、演出決定テーブルとを参照する。この処理が終了した場合には、本サブルーチンを終了する。
【０１９７】
ステップＳ３４６において、サブＣＰＵ２０６は、大当たり予兆コマンドを受信したか否かを判断する。この処理において、サブＣＰＵ２０６は、大当たり予兆コマンドを受信したと判別した場合には、ステップＳ３４７において、大当たり予兆コマンドを受信した旨の大当たり予兆コマンドデータをワークＲＡＭ２１０の所定領域にセットし、本サブルーチンを終了する。一方、サブＣＰＵ２０６は、大当たり予兆コマンドを受信しなかったと判別した場合には、ステップＳ３４８に処理を移す。
【０１９８】
ステップＳ３４８において、サブＣＰＵ２０６は、始動口開放予兆コマンドを受信したか否かを判断する。この処理において、サブＣＰＵ２０６は、始動口開放予兆コマンドを受信したと判別した場合には、ステップＳ３４９において、始動口開放予兆コマンドを受信した旨の始動口開放予兆コマンドデータをワークＲＡＭ２１０の所定領域にセットし、本サブルーチンを終了する。一方、サブＣＰＵ２０６は、始動口開放予兆コマンドを受信しなかったと判別した場合には、ステップＳ３５０に処理を移す。
【０１９９】
ステップＳ３５０において、サブＣＰＵ２０６は、大当たり遊技情報表示開始コマンドを受信したか否かを判断する。この処理において、サブＣＰＵ２０６は、大当たり遊技情報表示開始コマンドを受信したと判別した場合には、ステップＳ３５１において、大当たり遊技情報表示開始コマンドを受信した旨の大当たり遊技情報表示開始コマンドデータをワークＲＡＭ２１０の所定領域にセットする。また、後述するステップＳ３５７の処理でワークＲＡＭ２１０の所定領域にセットされる大当たり遊技情報表示終了コマンドデータが残っていた場合には、そのデータの記憶領域をクリアする。この処理が終了した場合には、本サブルーチンを終了する。一方、サブＣＰＵ２０６は、大当たり遊技情報表示開始コマンドを受信しなかったと判別した場合には、ステップＳ３５２に処理を移す。
【０２００】
ステップＳ３５２において、サブＣＰＵ２０６は、大当たり遊技情報指定コマンドを受信したか否かを判断する。この処理において、サブＣＰＵ２０６は、第１〜第６大当たり遊技情報指定コマンドのいずれかを受信したと判別した場合には、ステップＳ３５３において、大当たり遊技情報更新処理を実行する。一方、第１〜第６大当たり遊技情報指定コマンドのいずれも受信しなかったと判別した場合には、ステップＳ３５６に処理を移す。
【０２０１】
前記大当たり遊技情報更新処理において、サブＣＰＵ２０６は、受信した大当たり遊技情報指定コマンドに基づき、ワークＲＡＭ２１０の所定領域に位置付けられた大当たり遊技状態における遊技状況を示す各種データを更新する。この処理が終了した場合には、ステップＳ３５４に処理を移す。
【０２０２】
ステップＳ３５４において、サブＣＰＵ２０６は、受信した大当たり遊技情報指定コマンドが第１大当たり遊技情報指定コマンドであるか否かを判断する。そして、受信した大当たり遊技情報指定コマンドが第１大当たり遊技情報指定コマンドであると判別した場合には本サブルーチンを終了する一方、第１大当たり遊技情報指定コマンドではないと判別した場合には、ステップＳ３５５において、第２〜第６大当たり遊技情報指定コマンドのいずれかを受信した旨の大当たり遊技情報指定コマンドデータをワークＲＡＭ２１０の所定領域にセットし、本サブルーチンを終了する。
【０２０３】
ステップＳ３５６において、サブＣＰＵ２０６は、大当たり遊技情報表示終了コマンドを受信したか否かを判断する。この処理において、サブＣＰＵ２０６は、大当たり遊技情報表示終了コマンドを受信したと判別した場合には、ステップＳ３５７において、大当たり遊技情報表示終了コマンドを受信した旨の大当たり遊技情報表示終了コマンドデータをワークＲＡＭ２１０の所定領域にセットすると共に、前記ステップＳ３５１の処理でセットされている大当たり遊技情報表示開始コマンドデータの記憶領域をクリアし、本サブルーチンを終了する。一方、サブＣＰＵ２０６は、大当たり遊技情報表示終了を受信しなかったと判別した場合には、ステップＳ３５８に処理を移す。
【０２０４】
ステップＳ３５８において、サブＣＰＵ２０６は、その他の受信したコマンドに対応する制御を実行する。この処理が終了した場合には、本サブルーチンを終了する。
【０２０５】
（保留数演出表示処理）
また、副制御回路２００では、所定のタイミングでコマンド受信処理とは異なる保留数演出表示処理が実行される。この保留数演出表示処理について図１９を用いて説明する。
【０２０６】
最初に、図１９に示すように、所定の可変表示保留条件が成立したか否かを判断する（ステップＳ３６１）。この所定の可変表示保留条件は、上述したように、遊技球が始動口６に入球した場合において、保留数が上限に達することなく、識別情報が変動していることを条件とする。なお、副制御回路２００において、サブＣＰＵ２０６は、始動記憶数が上限に達することなく、始動記憶数が増加する始動記憶数指定コマンドを受信したか否かによって、所定の可変表示保留条件が成立したか否かを判断することとなる。サブＣＰＵ２０６は、所定の可変表示保留条件が成立したと判別した場合には、ステップＳ３６２に処理を移す。一方、サブＣＰＵ２０６は、所定の可変表示保留条件が成立していないと判別した場合には、本サブルーチンを終了する。
【０２０７】
ステップＳ３６２において、サブＣＰＵ２０６は、保留数演出パターン決定用乱数値を抽出する処理を実行する。この処理において、サブＣＰＵ２０６は、保留数演出パターン決定用乱数カウンタから保留数演出パターン決定用乱数値を抽出する。この処理が終了した場合には、ステップＳ３６３に処理を移す。
【０２０８】
ステップＳ３６３において、サブＣＰＵ２０６は、演出決定テーブルに基づく保留数演出パターンを決定する処理を実行する。この処理において、サブＣＰＵ２０６は、始動記憶情報が特定始動記憶情報であるか否か、識別情報がリーチとなる始動記憶情報であるか否か、ステップＳ３６２によって抽出された保留数演出パターン決定用乱数値に基づいて、保留数演出パターンを選択する。続いて、サブＣＰＵ２０６は、このように選択された保留数演出パターンを示すデータをワークＲＡＭ２１０の所定領域にセットする。これによって、サブＣＰＵ２０６は、後述するステップＳ３６４において、セットされた保留数演出パターンを示すデータに基づいて保留数の演出表示を行うこととなる。この処理が終了した場合には、ステップＳ３６４に処理を移す。
【０２０９】
ステップＳ３６４において、サブＣＰＵ２０６は、所定のタイミングで保留数演出画像表示処理を実行する。この処理において、サブＣＰＵ２０６は、ステップＳ３６３においてセットされたデータをＶＤＰ２１２に供給する。これにより、透明遊技盤１４上に形成される演出表示可能領域３２ａのうち、始動口６に近接する位置に保留数演出画像が表示される。この処理が終了した場合には、本サブルーチンを終了する。
【０２１０】
（変動開始処理）
また、副制御回路２００では、所定のタイミングでコマンド受信処理、保留数演出表示処理などとは異なる変動開始処理が実行される。この変動開始処理について図２０を用いて説明する。
【０２１１】
最初に、図２０に示すように、サブＣＰＵ２０６は、始動記憶情報が残存しているか否かを判断する（ステップＳ３８１）。この処理において、サブＣＰＵ２０６は、始動記憶数を示すデータを読み出し、そのデータが“０”であるか否かによって、始動記憶情報が残存しているか否かを判断することとなる。サブＣＰＵ２０６は、始動記憶情報が残存していると判別した場合には、ステップＳ３８２に処理を移す。一方、サブＣＰＵ２０６は、始動記憶情報が残存していないと判別した場合には、ステップＳ３８３に処理を移す。
【０２１２】
ステップＳ３８２において、サブＣＰＵ２０６は、所定の可変表示保留条件が成立したか否かを判断する。この所定の可変表示保留条件は、上述したように、遊技球が始動口６に入球した場合において、保留数が上限に達することなく、識別情報が変動している条件である。サブＣＰＵ２０６は、所定の可変表示保留条件が成立したと判別した場合には、本サブルーチンを終了する。一方、サブＣＰＵ２０６は、所定の可変表示保留条件が成立していないと判別した場合には、ステップＳ３８４に処理を移す。
【０２１３】
一方、ステップＳ３８３において、サブＣＰＵ２０６は、遊技球が始動口６に入賞したか否かを判断する。この処理において、サブＣＰＵ２０６は、始動記憶数が“０”から“１”となったか否かによって、遊技球が始動口６に入賞したか否かを判断する。サブＣＰＵ２０６は、遊技球が始動口６に入賞したと判別した場合には、ステップＳ３８４に処理を移す。一方、サブＣＰＵ２０６は、遊技球が始動口６に入賞しなかったと判別した場合には、本サブルーチンを終了する。
【０２１４】
ステップＳ３８４において、サブＣＰＵ２０６は、変動開始処理を実行する。この処理において、サブＣＰＵ２０６は、識別情報の変動パターンを示すデータをワークＲＡＭ２１０にセットする。この識別情報の変動パターンは、変動パターン指定コマンドに基づくものである。そして、サブＣＰＵ２０６は、所定のタイミングで、変動パターンを示すデータをＶＤＰ２１２に供給する。この処理が終了した場合には、本サブルーチンを終了する。
【０２１５】
（大当たり予兆演出表示処理）
また、副制御回路２００では、所定のタイミングでコマンド受信処理、保留数演出表示処理、変動開始処理などとは異なる大当たり予兆演出表示処理が実行される。この大当たり予兆演出表示処理について図２１を用いて説明する。
【０２１６】
最初に、図２１に示すように、サブＣＰＵ２０６は、大当たり予兆コマンドを受信しているか否かを判断する（ステップＳ４０１）。サブＣＰＵ２０６は、ステップＳ３４７において大当たり予兆コマンドデータがセットされたか否かによって、大当たり予兆コマンドを受信したか否かを判断する。そして、主制御回路６０から大当たり予兆コマンドを受信したと判別した場合には、大当たり予兆演出画像表示処理を実行する一方（ステップＳ４０２）、大当たり予兆コマンドを受信しなかったと判別した場合には、本サブルーチンを終了する。
【０２１７】
前記大当たり予兆演出画像表示処理においては、サブＣＰＵ２０６は、大当たり予兆演出パターンを示すデータをワークＲＡＭ２１０の所定領域にセットする。そして、サブＣＰＵ２０６は、所定のタイミングで、大当たり予兆演出パターンを示すデータをＶＤＰ２１２に供給する。これにより、透明遊技盤１４上に形成される演出表示可能領域３２ａのうち、大入賞口８に重なる位置に大当たり予兆演出画像が表示される。この処理が終了した場合には、本サブルーチンを終了する。
【０２１８】
（始動口開放予兆演出表示処理）
また、副制御回路２００では、所定のタイミングでコマンド受信処理、保留数演出表示処理、変動開始処理、大当たり予兆演出表示処理などとは異なる始動口開放予兆演出表示処理が実行される。この始動口開放予兆演出表示処理について図２２を用いて説明する。
【０２１９】
最初に、図２２に示すように、サブＣＰＵ２０６は、始動口開放予兆コマンドを受信しているか否かを判断する（ステップＳ４１１）。サブＣＰＵ２０６は、ステップＳ３４９において始動口開放予兆コマンドデータがセットされたか否かによって、始動口開放予兆コマンドを受信したか否かを判断する。そして、主制御回路６０から始動口開放予兆コマンドを受信したと判別した場合には、始動口開放予兆演出画像表示処理を実行する一方（ステップＳ４１２）、始動口開放予兆コマンドを受信しなかったと判別した場合には、本サブルーチンを終了する。
【０２２０】
前記始動口開放予兆演出画像表示処理においては、サブＣＰＵ２０６は、始動口開放予兆演出パターンを示すデータをワークＲＡＭ２１０の所定領域にセットする。そして、サブＣＰＵ２０６は、所定のタイミングで、始動口開放予兆演出パターンを示すデータをＶＤＰ２１２に供給する。これにより、透明遊技盤１４上に形成される演出表示可能領域３２ａのうち、始動口６に重なる位置に始動口開放予兆演出画像が表示される。この処理が終了した場合には、本サブルーチンを終了する。
【０２２１】
（大当たり遊技情報演出表示処理）
また、副制御回路２００では、所定のタイミングでコマンド受信処理、保留数演出表示処理、変動開始処理、大当たり予兆演出表示処理、始動口開放予兆演出表示処理などとは異なる大当たり遊技情報演出表示処理が実行される。ここでいう大当たり遊技情報とは、大当たり遊技状態における遊技状況を示す情報のことである。以下に、大当たり遊技情報演出表示処理について図２３を用いて説明する。
【０２２２】
最初に、図２３に示すように、サブＣＰＵ２０６は、大当たり遊技状態であるか否かを判断する（ステップＳ４２１）。これは、ステップＳ３５１において大当たり遊技情報表示開始コマンドデータがセットされたか否かによって判断する。そして、大当たり遊技状態であると判別した場合には、ステップＳ４２２の処理に移す一方、大当たり遊技状態ではないと判別した場合には、本サブルーチンを終了する。
【０２２３】
ステップＳ４２２の処理においては、サブＣＰＵ２０６は、大入賞口８が開放するタイミングであるか否かを判断する。この処理において、サブＣＰＵ２０６は、大入賞口８の開放時間を示すデータを読み出し、そのデータが“０”であるか否かによって大入賞口８が開放するタイミングであるか否かを判断することとなる。サブＣＰＵ２０６は、大入賞口８が開放するタイミングであると判別した場合には、ステップＳ４２３の処理に移す。
【０２２４】
ステップＳ４２３の処理においては、サブＣＰＵ２０６は、第１大当たり遊技情報演出画像表示処理を実行する。この処理において、サブＣＰＵ２０６は、主制御回路６０から受信した第１大当たり遊技情報指定コマンドの指令内容に対応する第１大当たり遊技情報演出パターンを示すデータをワークＲＡＭ２１０の所定領域にセットする。そして、サブＣＰＵ２０６は、所定のタイミングで、第１大当たり遊技情報演出パターンを示すデータをＶＤＰ２１２に供給する。これにより、透明遊技盤１４上に形成される演出表示可能領域３２ａのうち、大入賞口８に近接する位置に、第１大当たり遊技情報演出画像が遊技状況に応じて順次更新されながら表示される。この処理が終了した場合、及び前記ステップＳ４２２の処理で大入賞口８が開放するタイミングではないと判別した場合、ステップＳ４２４の処理に移す。
【０２２５】
ステップＳ４２４の処理においては、サブＣＰＵ２０６は、第２〜第６大当たり遊技情報指定コマンドのいずれかを受信したか否かを判断する。この処理では、サブＣＰＵ２０６は、ステップＳ３５５において大当たり遊技情報指定コマンドデータがセットされたか否かによって、第２〜第６大当たり遊技情報指定コマンドを受信したか否かを判断することとなる。そして、主制御回路６０から第２〜第６大当たり遊技情報指定コマンドのいずれかを受信したと判別した場合には、ステップＳ４２５の処理に移る。
【０２２６】
ステップＳ４２５の処理においては、サブＣＰＵ２０６は、第２〜第６大当たり遊技情報演出画像表示処理を実行する。この処理において、サブＣＰＵ２０６は、主制御回路６０から受信した遊技情報指定コマンドに応じて第２〜第６大当たり遊技情報演出パターンを示すデータのいずれかをワークＲＡＭ２１０の所定領域にセットする。このときセットされる大当たり遊技情報演出パターンを示すデータは、主制御回路６０から受信した大当たり遊技情報指定コマンドの指令内容に対応している。そして、サブＣＰＵ２０６は、所定のタイミングで、セットした大当たり遊技情報演出パターンを示すデータをＶＤＰ２１２に供給する。これにより、透明遊技盤１４上に形成される演出表示可能領域３２ａのうち、大入賞口８に近接する位置に、第２〜第６大当たり遊技情報演出画像が遊技状況に応じて順次更新されながら表示される。この処理が終了した場合、及び前記ステップＳ４２４の処理で第２〜第６大当たり遊技情報指定コマンドのいずれも受信していないと判別した場合、ステップＳ４２６の処理に移す。
【０２２７】
ステップＳ４２６の処理においては、サブＣＰＵ２０６は、大当たり遊技状態であるか否かを判断する（ステップＳ４２６）。ここでは、ステップＳ３５７において大当たり遊技情報表示終了コマンドデータがセットされていない場合に、大当たり遊技状態であると判断する。そして、大当たり遊技状態であると判別した場合には、本サブルーチンを終了する一方、大当たり遊技状態ではないと判別した場合には、ステップＳ４２７の処理に移す。
【０２２８】
ステップＳ４２７の処理においては、サブＣＰＵ２０６は、表示終了処理を実行する。この表示終了処理では、サブＣＰＵ２０６は、ＶＤＰ２１２への大当たり遊技情報演出パターンを示すデータの供給を停止し、大当たり遊技情報の演出表示を終了する。この処理が終了した場合には、本サブルーチンを終了する。
【０２２９】
以上、本発明の実施形態を説明したが、ここでは具体例を例示したに過ぎず、特に本発明を限定するものではない。すなわち、本発明は、主に、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤に演出表示可能領域を形成すると共に、この演出表示可能領域内において複数の識別情報を変動表示及び停止表示し、かつ遊技に応じた演出表示を行う表示手段と、前記複数の識別情報が予め定められた特定組合せで停止表示された場合、前記透明遊技盤上の可変入賞手段を開放及び閉鎖するラウンド遊技を所定回数継続可能な大当たり遊技状態に移行させる大当たり遊技実行手段と、実行中のラウンド遊技が何回目であるかを示すラウンド標識を、前記演出表示可能領域内の可変入賞手段に近接する位置に演出表示させる演出表示制御手段とを備える構成としたことを特徴とするものであるが、透明遊技盤、透明遊技盤に演出表示可能領域を形成する表示手段、大当たり遊技実行手段、演出表示制御手段などの具体的構成は、適宜設計変更可能である。
【０２３０】
また、本発明の実施形態に記載された効果は、本発明から生じる最も好適な効果を列挙したに過ぎず、本発明による効果は、本発明の実施形態に記載されたものに限定されるものでもない。
【図面の簡単な説明】
【０２３１】
【図１】本発明の実施形態に係るパチンコ遊技機の概観を示す斜視図である。
【図２】同パチンコ遊技機の要部を示す分解斜視図である。
【図３】本発明の実施形態に係るパチンコ遊技機における概観を示す正面図である。
【図４】本発明の実施形態に係るパチンコ遊技機の主制御回路及び副制御回路を示すブロック図である。
【図５】本発明の実施形態に係るパチンコ遊技機において表示される表示画面を示す説明図である。
【図６】本発明の実施形態に係るパチンコ遊技機において表示される表示画面を示す説明図である。
【図７】本発明の実施形態に係るパチンコ遊技機において表示される表示画面を示す説明図である。
【図８】本発明の実施形態に係るパチンコ遊技機において実行される制御処理を示すフローチャートである。
【図９】本発明の実施形態に係るパチンコ遊技機において実行される制御処理を示すフローチャートである。
【図１０】本発明の実施形態に係るパチンコ遊技機において実行される制御処理を示すフローチャートである。
【図１１】本発明の実施形態に係るパチンコ遊技機において実行される制御処理を示すフローチャートである。
【図１２】本発明の実施形態に係るパチンコ遊技機において実行される制御処理を示すフローチャートである。
【図１３】本発明の実施形態に係るパチンコ遊技機において実行される制御処理を示すフローチャートである。
【図１４】本発明の実施形態に係るパチンコ遊技機において実行される制御処理を示すフローチャートである。
【図１５】本発明の実施形態に係るパチンコ遊技機において実行される制御処理を示すフローチャートである。
【図１６】本発明の実施形態に係るパチンコ遊技機において実行される制御処理を示すフローチャートである。
【図１７】本発明の実施形態に係るパチンコ遊技機において実行される制御処理を示すフローチャートである。
【図１８】本発明の実施形態に係るパチンコ遊技機において実行される制御処理を示すフローチャートである。
【図１９】本発明の実施形態に係るパチンコ遊技機において実行される制御処理を示すフローチャートである。
【図２０】本発明の実施形態に係るパチンコ遊技機において実行される制御処理を示すフローチャートである。
【図２１】本発明の実施形態に係るパチンコ遊技機において実行される制御処理を示すフローチャートである。
【図２２】本発明の実施形態に係るパチンコ遊技機において実行される制御処理を示すフローチャートである。
【図２３】本発明の実施形態に係るパチンコ遊技機において実行される制御処理を示すフローチャートである。
【符号の説明】
【０２３２】
６     始動口
７     アウト口
８     大入賞口
１０   パチンコ遊技機（遊技機）
１４   透明遊技盤
１５   遊技領域
３２   表示装置（表示手段）
３２ａ 演出表示可能領域
４０   シャッタ
５８   可動片
６０   主制御回路
６６   メインＣＰＵ
７０   メインＲＡＭ
１０２ Ｖカウントセンサ
１０４ カウントセンサ
１０６ 一般入賞口センサ
１１２ アウト球センサ
１１４ 通過球センサ
１１６ 始動入賞球センサ
２００ 副制御回路
２０６ サブＣＰＵ
【図１】
2005245540.tif 000003
【図２】
2005245540.tif 000004
【図３】
2005245540.tif 000005
【図４】
2005245540.tif 000006
【図５】
2005245540.tif 000007
【図６】
2005245540.tif 000008
【図７】
2005245540.tif 000009
【図８】
2005245540.tif 000010
【図９】
2005245540.tif 000011
【図１０】
2005245540.tif 000012
【図１１】
2005245540.tif 000013
【図１２】
2005245540.tif 000014
【図１３】
2005245540.tif 000015
【図１４】
2005245540.tif 000016
【図１５】
2005245540.tif 000017
【図１６】
2005245540.tif 000018
【図１７】
2005245540.tif 000019
【図１８】
2005245540.tif 000020
【図１９】
2005245540.tif 000021
【図２０】
2005245540.tif 000022
【図２１】
2005245540.tif 000023
【図２２】
2005245540.tif 000024
【図２３】
2005245540.tif 000025